(57)【要約】  本発明は、ベースバンドパラメータを決定する方法及び装置を開示し、新しい無線通信システムでは、ベースバンドパラメータ（ｎｕｍｅｒｏｌｏｇｙ）を決定する案がまだ存在しない問題点を解決した。前記方法では、端末が、検出した初期同期信号に基づき、前記端末の所属のＴＲＰグループを決定するステップと、端末が、前記ＴＲＰグループ内の検出した第３の同期信号および／または前記ＴＲＰグループのシステム情報に基づき、ベースバンドパラメータを決定するステップとを備える。本発明の実施例に係る他の案によれば、１つのＴＲＰグループ内の異なるサブバンド、異なるＴＲＰおよび／または異なるビームに対応するベースバンドパラメータを識別することができるため、ＴＲＰグループ内の異なるサブバンド、異なるＴＲＰおよび／または異なるビームとの同期を実現し、端末が、正確なベースバンドパラメータに基づき、対応のサブバンド、ＴＲＰおよび／またはビームにおいて動作することが確保できるようになる。
2019526967.tif 000002
【特許請求の範囲】
【請求項１】
端末は、検出した初期同期信号に基づき、前記端末の所属の伝送受信ポイント（ＴＲＰ）グループを決定するステップと、
前記端末は、前記ＴＲＰグループ内の検出した第３の同期信号および／または前記ＴＲＰグループのシステム情報に基づき、ベースバンドパラメータを決定するステップとを備え、
前記初期同期信号には、第１の同期信号および／または第２の同期信号が含まれることを特徴とするベースバンドパラメータを決定する方法。
【請求項２】
前記端末が、前記ＴＲＰグループ内の検出した第３の同期信号および／または前記ＴＲＰグループのシステム情報に基づき、ベースバンドパラメータを決定する前、
前記端末は、前記ＴＲＰグループのシステム帯域幅において、前記第３の同期信号を検出し、または、
前記端末は、事前に約定した第３の同期信号の伝送リソースにおいて、前記第３の同期信号を検出し、または、
前記端末は、前記ＴＲＰグループのシステム情報により示される第３の同期信号の伝送リソースにおいて、前記第３の同期信号を検出することを特徴とする請求項１に記載のベースバンドパラメータを決定する方法。
【請求項３】
前記端末は、前記ＴＲＰグループ内の検出した第３の同期信号または前記ＴＲＰグループのシステム情報に基づき、ベースバンドパラメータを決定する前、
前記端末は、所定のベースバンドパラメータに基づき、前記第３の同期信号を検出し、または、
前記端末は、周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
前記端末は、通信システムによりサポートされたベースバンドパラメータに基づき、前記第３の同期信号を検出し、または、
前記端末は、前記ＴＲＰグループのシステム情報により示されるベースバンドパラメータに基づき、前記第３の同期信号を検出し、または、
前記端末は、事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記端末は、前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出することを特徴とする請求項１に記載のベースバンドパラメータを決定する方法。
【請求項４】
前記端末が、前記ＴＲＰグループ内の検出した第３の同期信号および／または前記ＴＲＰグループのシステム情報に基づき、ベースバンドパラメータを決定する場合、
前記端末は、検出した前記第３の同期信号の伝送に用いられるベースバンドパラメータを、前記第３の同期信号に対応するサブバンド、ＴＲＰおよび／またはビームに用いられるベースバンドパラメータとして決定し、または、
前記端末は、事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記端末は、所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記端末は、前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記端末は、前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれることを特徴とする請求項１に記載のベースバンドパラメータを決定する方法。
【請求項５】
検出した第３の同期信号シーケンスの数が少なくとも２つであれば、前記端末がベースバンドパラメータを決定する場合、
前記端末は、各第３の同期信号シーケンスに対応するサブバンド、ＴＲＰおよび／またはビームに用いられるベースバンドパラメータを決定し、または、
前記端末は、前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定することを特徴とする請求項４に記載のベースバンドパラメータを決定する方法。
【請求項６】
前記端末は、前記少なくとも２つの同期信号シーケンスから、少なくとも１つの同期信号シーケンスを選択する場合、
前記端末は、前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記端末は、前記少なくとも２つの第３の同期信号シーケンスをネットワーク側に報告し、ネットワーク側によって通知された少なくとも１つの第３の同期信号シーケンスを受信することを特徴とする請求項５に記載のベースバンドパラメータを決定する方法。
【請求項７】
前記端末が、前記ＴＲＰグループのシステム情報に基づき、ベースバンドパラメータを決定する場合、
前記端末は、前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれることを特徴とする請求項１に記載のベースバンドパラメータを決定する方法。
【請求項８】
前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウであることを特徴とする請求項２に記載のベースバンドパラメータを決定する方法。
【請求項９】
前記伝送リソースが前記第３の同期信号の伝送に占有された時間領域リソースおよび／または周波数領域リソースであれば、前記端末は、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記端末は、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得することを特徴とする請求項８に記載のベースバンドパラメータを決定する方法。
【請求項１０】
前記第３の同期信号とサブバンドまたはＴＲＰまたはビームとの対応関係は、事前に約定した方式で決定されるか、または、前記ＴＲＰグループのシステム情報により通知されることを特徴とする請求項３または請求項４に記載のベースバンドパラメータを決定する方法。
【請求項１１】
前記端末が、前記ＴＲＰグループ内の検出した第３の同期信号および／または前記ＴＲＰグループのシステム情報に基づき、ベースバンドパラメータを決定した後、
前記端末は、前記ＴＲＰグループ内のＴＲＰまたはサブバンドまたはビームにおいて、決定されたベースバンドパラメータに基づき、その後の伝送を行うことを特徴とする請求項１に記載のベースバンドパラメータを決定する方法。
【請求項１２】
伝送受信ポイント（ＴＲＰ）グループ内の第１のネットワーク側装置は、前記ＴＲＰグループにおいて、初期同期信号を送信することにより、端末に、前記初期同期信号に基づいて前記端末の所属のＴＲＰグループを決定させるステップと、
前記ＴＲＰグループ内の第２のネットワーク側装置は、前記ＴＲＰグループにおいて第３の同期信号を送信し、および／または前記ＴＲＰグループ内の第３のネットワーク側装置は、前記ＴＲＰグループにおいて前記ＴＲＰグループのシステム情報を送信することにより、前記端末に、前記第３の同期信号および／または前記ＴＲＰグループのシステム情報に基づき、前記第２のネットワーク側装置のベースバンドパラメータまたは前記ＴＲＰグループ内のネットワーク側装置のベースバンドパラメータを決定させるステップとを備え、
前記初期同期信号には、第１の同期信号および／または第２の同期信号が含まれることを特徴とするベースバンドパラメータを決定する方法。
【請求項１３】
前記ＴＲＰグループ内の第２のネットワーク側装置が前記ＴＲＰグループにおいて第３の同期信号を送信する場合、
前記第２のネットワーク側装置は、前記ＴＲＰグループのシステム帯域幅に対応する前記第２のネットワーク側装置の動作帯域幅において、前記第３の同期信号を送信し、または、
前記第２のネットワーク側装置は、事前に約定した前記第３の同期信号の伝送リソースにおいて、前記第３の同期信号を送信し、または、
前記第２のネットワーク側装置は、前記ＴＲＰグループのシステム情報により示される前記第３の同期信号の伝送リソースにおいて、前記第３の同期信号を送信することを特徴とする請求項１２に記載のベースバンドパラメータを決定する方法。
【請求項１４】
前記ＴＲＰグループ内の第２のネットワーク側装置が前記ＴＲＰグループにおいて第３の同期信号を送信する場合、
前記第２のネットワーク側装置は、周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
前記第２のネットワーク側装置は、事前に約定したまたは前記ＴＲＰグループのシステム情報により示される第３の同期信号シーケンスとベースバンドパラメータとの対応関係に基づき、前記第２のネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記第２のネットワーク側装置のベースバンドパラメータに基づき、前記第２のネットワーク側装置のベースバンドパラメータに対応する前記第３の同期信号シーケンスを送信し、または、
前記第２のネットワーク側装置は、事前に約定したまたは前記ＴＲＰグループのシステム情報により示される第３の同期信号シーケンスとネットワーク側装置との対応関係に基づき、前記第２のネットワーク側装置に対応する前記第３の同期信号シーケンスを決定し、前記第２のネットワーク側装置のベースバンドパラメータに基づき、前記第２のネットワーク側装置に対応する前記第３の同期信号シーケンスを送信することを特徴とする請求項１２に記載のベースバンドパラメータを決定する方法。
【請求項１５】
前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれることを特徴とする請求項１２に記載のベースバンドパラメータを決定する方法。
【請求項１６】
前記ＴＲＰグループのシステム情報は、第３の同期信号シーケンスとベースバンドパラメータとの対応関係を示し、または、
前記ＴＲＰグループのシステム情報はベースバンドパラメータを示すことを特徴とする請求項１２に記載のベースバンドパラメータを決定する方法。
【請求項１７】
前記ＴＲＰグループのシステム情報は、前記第３の同期信号の伝送リソースを示すことを特徴とする請求項１２に記載のベースバンドパラメータを決定する方法。
【請求項１８】
前記第２のネットワーク側装置は、事前に約定したベースバンドパラメータまたは前記ＴＲＰグループのシステム情報により示されるベースバンドパラメータまたは前記第２のネットワーク側装置の１種のデフォルトのベースバンドパラメータに基づき、前記第２のネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれることを特徴とする請求項１２に記載のベースバンドパラメータを決定する方法。
【請求項１９】
前記第２のネットワーク側装置または前記第３のネットワーク側装置は、前記端末によって報告された複数の第３の同期信号シーケンスを受信し、前記複数の第３の同期信号シーケンスから、１つまたは複数の第３の同期信号シーケンスを選択し、選択した第３の同期信号シーケンスを前記端末に通知することを特徴とする請求項１２ないし請求項１８のいずれか１項に記載のベースバンドパラメータを決定する方法。
【請求項２０】
前記第２のネットワーク側装置は、自分の動作帯域幅において、自分のベースバンドパラメータに基づき、その後の伝送を行うことを特徴とする請求項１２ないし請求項１８のいずれか１項に記載のベースバンドパラメータを決定する方法。
【請求項２１】
前記第１のネットワーク側装置または前記第２のネットワーク側装置または前記第３のネットワーク側装置は、前記ＴＲＰグループ内のＴＲＰまたは基地局であることを特徴とする請求項１２ないし請求項１８のいずれか１項に記載のベースバンドパラメータを決定する方法。
【請求項２２】
検出した初期同期信号に基づき、前記端末の所属の伝送受信ポイント（ＴＲＰ）グループを決定するＴＲＰグループ決定モジュールと、
前記ＴＲＰグループ内の検出した第３の同期信号および／または前記ＴＲＰグループのシステム情報に基づき、ベースバンドパラメータを決定するベースバンドパラメータ決定モジュールとを備え、
前記初期同期信号には、第１の同期信号および／または第２の同期信号が含まれることを特徴とする端末。
【請求項２３】
前記ベースバンドパラメータ決定モジュールは、
前記ＴＲＰグループのシステム帯域幅において、前記第３の同期信号を検出し、または、
事前に約定した第３の同期信号の伝送リソースにおいて、前記第３の同期信号を検出し、または、
前記ＴＲＰグループのシステム情報により示される第３の同期信号の伝送リソースにおいて、前記第３の同期信号を検出することを特徴とする請求項２２に記載の端末。
【請求項２４】
前記ベースバンドパラメータ決定モジュールは、
所定のベースバンドパラメータに基づき、前記第３の同期信号を検出し、または、
周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
通信システムによりサポートされたベースバンドパラメータに基づき、前記第３の同期信号を検出し、または、
前記ＴＲＰグループのシステム情報により示されるベースバンドパラメータに基づき、前記第３の同期信号を検出し、または、
事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出することを特徴とする請求項２２に記載の端末。
【請求項２５】
前記ベースバンドパラメータ決定モジュールは、
検出した前記第３の同期信号の伝送に用いられるベースバンドパラメータを、前記第３の同期信号に対応するサブバンド、ＴＲＰおよび／またはビームに用いられるベースバンドパラメータとして決定し、または、
事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれることを特徴とする請求項２２に記載の端末。
【請求項２６】
検出した第３の同期信号シーケンスの数が少なくとも２つであれば、前記ベースバンドパラメータ決定モジュールは、
第３の同期信号シーケンスそれぞれに対応するサブバンド、ＴＲＰおよび／またはビームに用いられるベースバンドパラメータを決定し、または、
前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定することを特徴とする請求項２５に記載の端末。
【請求項２７】
前記ベースバンドパラメータ決定モジュールは、
前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記少なくとも２つの第３の同期信号シーケンスを、ネットワーク側に報告し、ネットワーク側によって通知された少なくとも１つの第３の同期信号シーケンスを受信することを特徴とする請求項２６に記載の端末。
【請求項２８】
前記ベースバンドパラメータ決定モジュールは、
前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれることを特徴とする請求項２２に記載の端末。
【請求項２９】
前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウであることを特徴とする請求項２３に記載の端末。
【請求項３０】
前記伝送リソースが前記第３の同期信号の伝送に占有された時間領域リソースおよび／または周波数領域リソースであれば、前記ベースバンドパラメータ決定モジュールは、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記ベースバンドパラメータ決定モジュールは、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得することを特徴とする請求項２９に記載の端末。
【請求項３１】
前記第３の同期信号とサブバンドまたはＴＲＰまたはビームとの対応関係は、事前に約定した方式で決定されるか、または、前記ＴＲＰグループのシステム情報により通知されることを特徴とする請求項２４または請求項２５に記載の端末。
【請求項３２】
前記ＴＲＰグループ内のＴＲＰまたはサブバンドまたはビームにおいて、前記ベースバンドパラメータ決定モジュールにより決定されたベースバンドパラメータに基づき、その後の伝送を行う伝送モジュールをさらに備えることを特徴とする請求項２２に記載の端末。
【請求項３３】
ネットワーク側装置は、伝送受信ポイント（ＴＲＰ）グループに所属し、
前記ネットワーク側装置は、送信モジュールを備え、
前記送信モジュールは、前記ＴＲＰグループにおいて、初期同期信号を送信することにより、端末に、前記初期同期信号に基づいて前記端末の所属のＴＲＰグループを決定させ、前記初期同期信号には、第１の同期信号および／または第２の同期信号が含まれ、および／または
前記ＴＲＰグループにおいて、第３の同期信号および／または前記ＴＲＰグループのシステム情報を送信することにより、前記端末に、前記第３の同期信号および／または前記ＴＲＰグループのシステム情報に基づき、前記ネットワーク側装置のベースバンドパラメータまたは前記ＴＲＰグループ内のネットワーク側装置のベースバンドパラメータを決定させることを特徴とするネットワーク側装置。
【請求項３４】
前記送信モジュールは、
前記ＴＲＰグループのシステム帯域幅に対応する前記ネットワーク側装置の動作帯域幅において、前記第３の同期信号を送信し、または、
事前に約定した前記第３の同期信号の伝送リソースにおいて、前記第３の同期信号を送信し、または、
前記ＴＲＰグループのシステム情報により示される前記第３の同期信号の伝送リソースにおいて、前記第３の同期信号を送信することを特徴とする請求項３３に記載のネットワーク側装置。
【請求項３５】
前記送信モジュールは、
周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
事前に約定したまたは前記ＴＲＰグループのシステム情報により示される第３の同期信号シーケンスとベースバンドパラメータとの対応関係に基づき、前記ネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記ネットワーク側装置のベースバンドパラメータに基づき、前記ネットワーク側装置のベースバンドパラメータに対応する前記第３の同期信号シーケンスを送信し、または、
事前に約定したまたは前記ＴＲＰグループのシステム情報により示される第３の同期信号シーケンスとネットワーク側装置との対応関係に基づき、前記ネットワーク側装置に対応する前記第３の同期信号シーケンスを決定し、前記ネットワーク側装置のベースバンドパラメータに基づき、前記ネットワーク側装置に対応する前記第３の同期信号シーケンスを送信することを特徴とする請求項３３に記載のネットワーク側装置。
【請求項３６】
前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれることを特徴とする請求項３３に記載のネットワーク側装置。
【請求項３７】
前記ＴＲＰグループのシステム情報は、第３の同期信号シーケンスとベースバンドパラメータとの対応関係を示し、または、
前記ＴＲＰグループのシステム情報はベースバンドパラメータを示すことを特徴とする請求項３３に記載のネットワーク側装置。
【請求項３８】
前記ＴＲＰグループのシステム情報は、前記第３の同期信号の伝送リソースを示すことを特徴とする請求項３３に記載のネットワーク側装置。
【請求項３９】
前記送信モジュールは、
事前に約定したベースバンドパラメータまたは前記ＴＲＰグループのシステム情報により示されるベースバンドパラメータまたは前記ネットワーク側装置の１種のデフォルトのベースバンドパラメータに基づき、前記ネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれることを特徴とする請求項３３に記載のネットワーク側装置。
【請求項４０】
前記端末により報告された複数の第３の同期信号シーケンスを受信して、１つまたは複数の第３の同期信号シーケンスを選択する受信モジュールをさらに備え、
前記送信モジュールは、前記受信モジュールにより選択された第３の同期信号シーケンスを前記端末に通知することを特徴とする請求項３３ないし請求項３９のいずれか１項に記載のネットワーク側装置。
【請求項４１】
前記ネットワーク側装置の動作帯域幅において、前記ネットワーク側装置のベースバンドパラメータに基づき、その後のデータ伝送を行うデータ伝送モジュールをさらに備えることを特徴とする請求項３３ないし請求項３９のいずれか１項に記載のネットワーク側装置。
【請求項４２】
前記ネットワーク側装置は、前記ＴＲＰグループ内のＴＲＰまたは基地局であることを特徴とする請求項３３ないし請求項３９のいずれか１項に記載のネットワーク側装置。
【請求項４３】
メモリと、プロセッサと、送受信機とを備え、
前記メモリは、コンピュータ可読プログラムを格納し、
前記プロセッサは、請求項１ないし請求項１１のいずれか一項に記載の方法を実行するために前記メモリに格納されたプログラムを読み出し、
前記送受信機は、前記プロセッサの制御によりデータを送受信することを特徴とする端末。
【請求項４４】
当該端末は、メモリと、プロセッサと、送受信機とを備え、
前記メモリは、コンピュータ可読プログラムを格納し、
前記プロセッサは、請求項１２ないし請求項２１のいずれか一項に記載の方法を実行するために前記メモリに格納されたプログラムを読み出し、
前記送受信機は、前記プロセッサの制御によりデータを送受信することを特徴とするネットワーク側装置。
【発明の詳細な説明】
【技術分野】
【０００１】
本発明は通信技術分野に関し、特に、ベースバンドパラメータ（ｎｕｍｅｒｏｌｏｇｙ）を決定する方法及び装置に関する。
【背景技術】
【０００２】
従来のロングタームエボリューション（Ｌｏｎｇ Ｔｅｒｍ Ｅｖｏｌｕｔｉｏｎ，ＬＴＥ）システムでは、フレーム構造は、周波数分割複信（Ｆｒｅｑｕｅｎｃｙ Ｄｉｖｉｓｉｏｎ Ｄｕｐｌｅｘ，ＦＤＤ）モードと時分割複信（Ｔｉｍｅ Ｄｉｖｉｓｉｏｎ Ｄｕｐｌｅｘ，ＴＤＤ）モードに対してそれぞれ定義されている。
【０００３】
フレーム構造タイプ１（Ｆｒａｍｅ Ｓｔｒｕｃｔｕｒｅ ｔｙｐｅ １，ＦＳ１）は既存のロングタームエボリューション（Ｌｏｎｇ Ｔｅｒｍ Ｅｖｏｌｕｔｉｏｎ，ＬＴＥ）周波数分割複信（Ｆｒｅｑｕｅｎｃｙ Ｄｉｖｉｓｉｏｎ Ｄｕｐｌｅｘ，ＦＤＤ）システムに適用可能であり、その構造図を図１Ａに示す。ＦＤＤシステムでは、アップリンク送信とダウンリンク送信とでは異なるキャリア周波数があり、アップリンク送信とダウンリンク送信とでは同じフレーム構造がある。各キャリアにおいて、長さ１０ｍｓの無線フレームは１０個の１ｍｓサブフレームを含み、各サブフレームは長さ０．５ｍｓの２つのタイムスロットを含む。アップリンクおよびダウンリンクのデータ伝送におけるＴＴＩ（Ｔｒａｎｓｍｉｓｓｉｏｎ Ｔｉｍｅ Ｉｎｔｅｒｖａｌ）の時間長は１ｍｓである。
【０００４】
図１Ｂに示すように、ＬＴＥ（Ｌｏｎｇ Ｔｅｒｍ Ｅｖｏｌｕｔｉｏｎ） ＴＤＤ（Ｔｉｍｅ Ｄｉｖｉｓｉｏｎ Ｄｕｐｌｅｘ）システムは、フレーム構造タイプ２（ｆｒａｍｅ ｓｔｒｕｃｔｕｒｅ ｔｙｐｅ ２，ＦＳ２）を使用する。ＴＤＤシステムでは、アップリンク及びダウンリンク伝送は、同一周波数上で異なるサブフレームを使用するか、異なるタイムスロットを使用する。ＦＳ２の各１０ｍｓ無線フレームは２つの５ｍｓハーフフレームで構成され、各フレームには１ｍｓ長さの５つのサブフレームが含まれている。ＦＳ２のサブフレームは、ダウンリンクサブフレームと、アップリンクサブフレームと、スペシャルサブフレームの３種類に分類される。スペシャルサブフレームはダウンリンクパイロットタイムスロット（ＤｗＰＴＳ，Ｄｏｗｎｌｉｎｋ Ｐｉｌｏｔ Ｔｉｍｅ Ｓｌｏｔ、ＤｗＰＴＳ）とガード期間（Ｇｕａｒｄ Ｐｅｒｉｏｄ、ＧＰ）とＵｐＰＴＳ（Ｕｐｌｉｎｋ Ｐｉｌｏｔ Ｔｉｍｅ Ｓｌｏｔ）３つの部分から構成されている。各ハーフフレームは、少なくとも１つのダウンリンクサブフレーム、少なくとも１つのアップリンクサブフレーム、および最大で１つの特殊サブフレームを含む。表１に示される７つのＴＤＤアップリンク−ダウンリンク構成は、異なるダウンリンクからアップリンクへのスイッチポイントの周期性およびアップリンク−ダウンリンク割り当て比率に対して定義される。
【０００５】
【表１】
2019526967.tif 000003
【０００６】
通常のＣＰおよび拡張ＣＰを含む２つのサイクリックプレフィックス（Ｃｙｃｌｉｃ Ｐｒｅｆｉｘ，ＣＰ）タイプが、ＬＴＥシステムにおけるＦＤＤモードおよびＴＤＤモードに対して定義される（それらは通常のサブフレームに対して定義されるが、特別なサブフレームにおけるシンボルの数は、以下の定義より少ない）。アップリンク伝送に対し、サブキャリア間隔
【数１】
2019526967.tif 000004
が定義されている。通常のＣＰでは、各タイムスロットは７つのシングルキャリア周波数分割多元接続（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ，ＳＣ−ＦＤＭＡ）シンボルを含む。最初のＳＣ−ＦＤＭＡシンボルのＣＰの長さは１６０Ｔｓで、他のＳＣ−ＦＤＭＡシンボルのＣＰの長さは１４４Ｔｓである。拡張ＣＰでは各タイムスロットは６個のＳＣ−ＦＤＭＡシンボルを含み、各ＳＣ−ＦＤＭＡシンボルのＣＰの長さは５１２Ｔｓである。ダウンリンク伝送の場合、通常のＣＰでは、サブキャリア間隔
【数２】
2019526967.tif 000005
が定義され、各タイムスロットには７つのＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘ）シンボルが含まれる。ここで、最初のＯＦＤＭシンボルのＣＰの長さは１６０Ｔｓで、他のＯＦＤＭシンボルのＣＰの長さは１４４Ｔｓである。拡張ＣＰでは、２種のサブキャリア間隔
【数３】
2019526967.tif 000006
及び
【数４】
2019526967.tif 000007
が定義されており、キャリア間隔が
【数５】
2019526967.tif 000008
である場合、各タイムスロットは６個のＯＦＤＭシンボルを含み、各ＯＦＤＭシンボル中のＣＰの長さは５１２Ｔｓである。キャリア間隔が
【数６】
2019526967.tif 000009
である場合、タイムスロットは３つのＯＦＤＭシンボルを含み、各ＯＦＤＭシンボル内のＣＰの長さは１０２４Ｔｓである。ここで、Ｔｓは３０７２００×Ｔｓ ＝ １０ｍｓと定義されるシステムサンプリング間隔であり、
【数７】
2019526967.tif 000010
は、マルチメディアブロードキャストサビースにのみ適用可能である。設定されたＭＢＳＦＮ（Ｍｕｌｔｉｍｅｄｉａ Ｂｒｏａｄｃａｓｔ ｍｕｌｔｉｃａｓｔ ｓｅｒｖｉｃｅ Ｓｉｎｇｌｅ Ｆｒｅｑｕｅｎｃｙ Ｎｅｔｗｏｒｋ）サブフレームにのみに用いられる。
【０００７】
ＬＴＥシステムでは、ＬＴＥネットワークにアクセスするためのユーザ機器（Ｕｓｅｒ Ｅｑｕｉｐｍｅｎｔ， ＵＥ、端末とも略称される）は、セルのシステム情報を取得するためにセルを検索するものとする。ＵＥが同期信号を検出し、情報をブロードキャストし、及びシステム情報を受信する場合、１種のみのベースバンドパラメータ（ｎｕｍｅｒｏｌｏｇｙ）が存在し、即ち、サブキャリア間隔
【数８】
2019526967.tif 000011
である、また、サブキャリア間隔は、通常のＣＰ及び拡張ＣＰにおけるそれぞれ固定数のＯＦＤＭシンボルおよび固定ＣＰ長に対応するため、ＵＥはｎｕｍｅｒｏｌｏｇｙを識別する必要がない。移動体通信サービスに対する需要が変化するにつれて、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、３ＧＰＰ、および他の組織は新しい無線通信システム（例えば、５Gシステム）を研究するようになる。新しい無線通信システムは、より高い周波数帯域で動作することができるが、下位互換性のためにより低いおよび中間の周波数帯域でも動作することができる。異なる周波数帯域が、伝送特性及びニーズがそれぞれであるため、異なるｎｕｍｅｒｏｌｏｇｙを定義する必要がある。同一の周波数帯域または伝送周波数帯域（Ｔｒａｎｓｍｉｓｓｉｏｎ Ｒｅｃｅｐｔｉｏｎ Ｐｏｉｎｔ， ＴＲＰ）のニーズがそれぞれであるため、異なるｎｕｍｅｒｏｌｏｇｙを用いることができる。すなわち、新しい無線通信システムで動作しているＵＥは、その動作周波数帯域に用いられるｎｕｍｅｒｏｌｏｇｙを識別した後にのみ正しくデータを送信することができ、新しい無線通信システムでｎｕｍｅｒｏｌｏｇｙを決定するための明確な解決策はこれまで存在しなかった。
【発明の概要】
【発明が解決しようとする課題】
【０００８】
本発明に係る実施例は、ベースバンドパラメータを決定する方法及び装置を提供し、新しい無線通信システムにおいてｎｕｍｅｒｏｌｏｇｙを決定するための明確な解決策がこれまでに存在しなかったという従来技術の問題を解決する。
【課題を解決するための手段】
【０００９】
第１の態様によれば、ベースバンドパラメータを決定する方法は、
端末は、検出した初期同期信号に基づき、前記端末の所属の伝送受信ポイント（ＴＲＰ）グループを決定するステップと、
前記端末は、前記ＴＲＰグループ内の検出した第３の同期信号および／または前記ＴＲＰグループのシステム情報に基づき、ベースバンドパラメータを決定するステップとを備え、
前記初期同期信号には、第１の同期信号および／または第２の同期信号が含まれる。
【００１０】
可能な実施形態においては、前記端末は、前記ＴＲＰグループ内の検出した第３の同期信号および／または前記ＴＲＰグループのシステム情報に基づき、ベースバンドパラメータを決定する前、
前記端末は、前記ＴＲＰグループのシステム帯域幅において、前記第３の同期信号を検出し、または、
前記端末は、事前に約定した第３の同期信号の伝送リソースにおいて、前記第３の同期信号を検出し、または、
前記端末は、前記ＴＲＰグループのシステム情報により示される第３の同期信号の伝送リソースにおいて、前記第３の同期信号を検出する。
【００１１】
可能な実施形態においては、前記端末は、前記ＴＲＰグループ内の検出した第３の同期信号または前記ＴＲＰグループのシステム情報に基づき、ベースバンドパラメータを決定する前、
前記端末は、所定のベースバンドパラメータに基づき、前記第３の同期信号を検出し、または、
前記端末は、周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
前記端末は、通信システムによりサポートされたベースバンドパラメータに基づき、前記第３の同期信号を検出し、または、
前記端末は、前記ＴＲＰグループのシステム情報により示されるベースバンドパラメータに基づき、前記第３の同期信号を検出し、または、
前記端末は、事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記端末は、前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出する。
【００１２】
可能な実施形態においては、前記端末が、前記ＴＲＰグループ内の検出した第３の同期信号および／または前記ＴＲＰグループのシステム情報に基づき、ベースバンドパラメータを決定する場合、
前記端末は、検出した前記第３の同期信号の伝送に用いられるベースバンドパラメータを、前記第３の同期信号に対応するサブバンド、ＴＲＰおよび／またはビームに用いられるベースバンドパラメータとして決定し、または、
前記端末は、事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記端末は、所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記端末は、前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記端末は、前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれる。
【００１３】
可能な実施形態においては、検出した第３の同期信号シーケンスの数が少なくとも２つであれば、前記端末がベースバンドパラメータを決定する場合、
前記端末は、各第３の同期信号シーケンスに対応するサブバンド、ＴＲＰおよび／またはビームに用いられるベースバンドパラメータを決定し、または、
前記端末は、前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定する。
また、前記端末は、前記少なくとも２つの同期信号シーケンスから、少なくとも１つの同期信号シーケンスを選択する場合、
前記端末は、前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記端末は、前記少なくとも２つの第３の同期信号シーケンスをネットワーク側に報告し、ネットワーク側によって通知された少なくとも１つの第３の同期信号シーケンスを受信する。
【００１４】
可能な実施形態においては、前記端末が、前記ＴＲＰグループのシステム情報に基づき、ベースバンドパラメータを決定する場合、
前記端末は、前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれる。
【００１５】
可能な実施形態においては、前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウである。
【００１６】
可能な実施形態においては、前記伝送リソースが前記第３の同期信号の伝送に占有された時間領域リソースおよび／または周波数領域リソースであれば、前記端末は、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記端末は、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得する。
【００１７】
可能な実施形態においては、前記第３の同期信号とサブバンドまたはＴＲＰまたはビームとの対応関係は、事前に約定した方式で決定されるか、または、前記ＴＲＰグループのシステム情報により通知される。
【００１８】
可能な実施形態においては、前記端末が、前記ＴＲＰグループ内の検出した第３の同期信号および／または前記ＴＲＰグループのシステム情報に基づき、ベースバンドパラメータを決定した後、
前記端末は、前記ＴＲＰグループ内のＴＲＰまたはサブバンドまたはビームにおいて、決定されたベースバンドパラメータに基づき、その後の伝送を行う。
【００１９】
第２の態様によれば、ベースバンドパラメータを決定する方法は、
伝送受信ポイント（ＴＲＰ）グループ内の第１のネットワーク側装置は、前記ＴＲＰグループにおいて、初期同期信号を送信することにより、端末に、前記初期同期信号に基づいて前記端末の所属のＴＲＰグループを決定させるステップと、
前記ＴＲＰグループ内の第２のネットワーク側装置は、前記ＴＲＰグループにおいて第３の同期信号を送信し、および／または前記ＴＲＰグループ内の第３のネットワーク側装置は、前記ＴＲＰグループにおいて前記ＴＲＰグループのシステム情報を送信することにより、前記端末に、前記第３の同期信号および／または前記ＴＲＰグループのシステム情報に基づき、前記第２のネットワーク側装置のベースバンドパラメータまたは前記ＴＲＰグループ内のネットワーク側装置のベースバンドパラメータを決定させるステップとを備え、
前記初期同期信号には、第１の同期信号および／または第２の同期信号が含まれる。
【００２０】
可能な実施形態においては、前記ＴＲＰグループ内の第２のネットワーク側装置が前記ＴＲＰグループにおいて第３の同期信号を送信する場合、
前記第２のネットワーク側装置は、前記ＴＲＰグループのシステム帯域幅に対応する前記第２のネットワーク側装置の動作帯域幅において、前記第３の同期信号を送信し、または、
前記第２のネットワーク側装置は、事前に約定した前記第３の同期信号の伝送リソースにおいて、前記第３の同期信号を送信し、または、
前記第２のネットワーク側装置は、前記ＴＲＰグループのシステム情報により示される前記第３の同期信号の伝送リソースにおいて、前記第３の同期信号を送信する。
【００２１】
可能な実施形態においては、前記ＴＲＰグループ内の第２のネットワーク側装置が前記ＴＲＰグループにおいて第３の同期信号を送信する場合、
前記第２のネットワーク側装置は、周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
前記第２のネットワーク側装置は、事前に約定したまたは前記ＴＲＰグループのシステム情報により示される第３の同期信号シーケンスとベースバンドパラメータとの対応関係に基づき、前記第２のネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記第２のネットワーク側装置のベースバンドパラメータに基づき、前記第２のネットワーク側装置のベースバンドパラメータに対応する前記第３の同期信号シーケンスを送信し、または、
前記第２のネットワーク側装置は、事前に約定したまたは前記ＴＲＰグループのシステム情報により示される第３の同期信号シーケンスとネットワーク側装置との対応関係に基づき、前記第２のネットワーク側装置に対応する前記第３の同期信号シーケンスを決定し、前記第２のネットワーク側装置のベースバンドパラメータに基づき、前記第２のネットワーク側装置に対応する前記第３の同期信号シーケンスを送信する。
【００２２】
可能な実施形態においては、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれる。
【００２３】
可能な実施形態においては、前記ＴＲＰグループのシステム情報は、第３の同期信号シーケンスとベースバンドパラメータとの対応関係を示し、または、前記ＴＲＰグループのシステム情報はベースバンドパラメータを示す。
【００２４】
可能な実施形態においては、前記ＴＲＰグループのシステム情報は、前記第３の同期信号の伝送リソースを示す。
【００２５】
可能な実施形態においては、前記第２のネットワーク側装置は、事前に約定したベースバンドパラメータまたは前記ＴＲＰグループのシステム情報により示されるベースバンドパラメータまたは前記第２のネットワーク側装置の１種のデフォルトのベースバンドパラメータに基づき、前記第２のネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれる。
【００２６】
上記いずれの実施例に基づき、可能な実施形態においては、前記方法では、
前記第２のネットワーク側装置または前記第３のネットワーク側装置は、前記端末によって報告された複数の第３の同期信号シーケンスを受信し、前記複数の第３の同期信号シーケンスから、１つまたは複数の第３の同期信号シーケンスを選択し、選択した第３の同期信号シーケンスを前記端末に通知する。
【００２７】
上記いずれの実施例に基づき、可能な実施形態においては、前記方法では、前記第２のネットワーク側装置は、自分の動作帯域幅において、自分のベースバンドパラメータに基づき、その後の伝送を行う。
【００２８】
上記いずれの実施例に基づき、可能な実施形態においては、前記第１のネットワーク側装置または前記第２のネットワーク側装置または前記第３のネットワーク側装置は、前記ＴＲＰグループ内のＴＲＰまたは基地局である。
【００２９】
第３の態様によれば、端末は、
検出した初期同期信号に基づき、前記端末の所属の伝送受信ポイント（ＴＲＰ）グループを決定し、前記初期同期信号には、第１の同期信号および／または第２の同期信号が含まれるＴＲＰグループ決定モジュールと、
前記ＴＲＰグループ内の検出した第３の同期信号および／または前記ＴＲＰグループのシステム情報に基づき、ベースバンドパラメータを決定するベースバンドパラメータ決定モジュールとを備える。
【００３０】
可能な実施形態においては、前記ベースバンドパラメータ決定モジュールは、
前記ＴＲＰグループのシステム帯域幅において、前記第３の同期信号を検出し、または、
事前に約定した第３の同期信号の伝送リソースにおいて、前記第３の同期信号を検出し、または、
前記ＴＲＰグループのシステム情報により示される第３の同期信号の伝送リソースにおいて、前記第３の同期信号を検出する。
【００３１】
可能な実施形態においては、前記ベースバンドパラメータ決定モジュールは、
所定のベースバンドパラメータに基づき、前記第３の同期信号を検出し、または、
周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
通信システムによりサポートされたベースバンドパラメータに基づき、前記第３の同期信号を検出し、または、
前記ＴＲＰグループのシステム情報により示されるベースバンドパラメータに基づき、前記第３の同期信号を検出し、または、
事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出する。
【００３２】
可能な実施形態においては、前記ベースバンドパラメータ決定モジュールは、
検出した前記第３の同期信号の伝送に用いられるベースバンドパラメータを、前記第３の同期信号に対応するサブバンド、ＴＲＰおよび／またはビームに用いられるベースバンドパラメータとして決定し、または、
事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれる。
【００３３】
可能な実施形態においては、検出した第３の同期信号シーケンスの数が少なくとも２つであれば、前記ベースバンドパラメータ決定モジュールは、
第３の同期信号シーケンスそれぞれに対応するサブバンド、ＴＲＰおよび／またはビームに用いられるベースバンドパラメータを決定し、または、
【００３４】
前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定する。
【００３５】
可能な実施形態においては、前記ベースバンドパラメータ決定モジュールは、
前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記少なくとも２つの第３の同期信号シーケンスを、ネットワーク側に報告し、ネットワーク側によって通知された少なくとも１つの第３の同期信号シーケンスを受信する。
【００３６】
可能な実施形態においては、前記ベースバンドパラメータ決定モジュールは、
前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれる。
【００３７】
可能な実施形態においては、前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウである。
【００３８】
また、前記伝送リソースが前記第３の同期信号の伝送に占有された時間領域リソースおよび／または周波数領域リソースであれば、前記ベースバンドパラメータ決定モジュールは、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記ベースバンドパラメータ決定モジュールは、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得する。
【００３９】
可能な実施形態においては、前記第３の同期信号とサブバンドまたはＴＲＰまたはビームとの対応関係は、事前に約定した方式で決定されるか、または、前記ＴＲＰグループのシステム情報により通知される。
【００４０】
可能な実施形態においては、前記端末は、前記ＴＲＰグループ内のＴＲＰまたはサブバンドまたはビームにおいて、前記ベースバンドパラメータ決定モジュールにより決定されたベースバンドパラメータに基づき、その後の伝送を行うベースバンドパラメータ決定モジュールをさらに備える。
【００４１】
第４の態様によれば、端末は、送受信機と、前記送受信機に接続する少なくとも１つのプロセッサとを備え、
前記プロセッサは、メモリに格納されたプログラムを読み出し、検出した初期同期信号に基づき、前記端末の所属の伝送受信ポイント（ＴＲＰ）グループを決定し、前記初期同期信号には、第１の同期信号および／または第２の同期信号が含まれ、前記ＴＲＰグループ内の検出した第３の同期信号および／または前記ＴＲＰグループのシステム情報に基づき、ベースバンドパラメータを決定し、
前記送受信機は、前記プロセッサの制御によりデータを送受信する。
【００４２】
可能な実施形態においては、前記プロセッサは、前記メモリに格納されたプログラムを読み出し、前記ＴＲＰグループのシステム帯域幅において、前記第３の同期信号を検出し、または、
事前に約定した第３の同期信号の伝送リソースにおいて、前記第３の同期信号を検出し、または、
前記ＴＲＰグループのシステム情報により示される第３の同期信号の伝送リソースにおいて、前記第３の同期信号を検出する。
【００４３】
可能な実施形態においては、前記プロセッサは、前記メモリに格納されたプログラムを読み出し、所定のベースバンドパラメータに基づき、前記第３の同期信号を検出し、または、
周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
通信システムによりサポートされたベースバンドパラメータに基づき、前記第３の同期信号を検出し、または、
前記ＴＲＰグループのシステム情報により示されるベースバンドパラメータに基づき、前記第３の同期信号を検出し、または、
事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出する。
【００４４】
可能な実施形態においては、前記プロセッサは、前記メモリに格納されたプログラムを読み出し、検出した前記第３の同期信号の伝送に用いられるベースバンドパラメータを、前記第３の同期信号に対応するサブバンド、ＴＲＰおよび／またはビームに用いられるベースバンドパラメータとして決定し、または、
事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれる。
【００４５】
可能な実施形態においては、検出した第３の同期信号シーケンスの数が少なくとも２つであれば、前記プロセッサは、前記メモリに格納されたプログラムを読み出し、第３の同期信号シーケンスそれぞれに対応するサブバンド、ＴＲＰおよび／またはビームに用いられるベースバンドパラメータを決定し、または、
前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定する。
【００４６】
可能な実施形態においては、前記プロセッサは、前記メモリに格納されたプログラムを読み出し、前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記少なくとも２つの第３の同期信号シーケンスを、ネットワーク側に報告し、ネットワーク側によって通知された少なくとも１つの第３の同期信号シーケンスを受信する。
【００４７】
可能な実施形態においては、前記プロセッサは、前記メモリに格納されたプログラムを読み出し、前記送受信機により、前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれる。
【００４８】
可能な実施形態においては、前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウである。
【００４９】
また、前記伝送リソースが前記第３の同期信号の伝送に占有された時間領域リソースおよび／または周波数領域リソースであれば、前記プロセッサは、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記プロセッサは、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得する。
【００５０】
可能な実施形態においては、前記第３の同期信号とサブバンドまたはＴＲＰまたはビームとの対応関係は、事前に約定した方式で決定されるか、または、前記ＴＲＰグループのシステム情報により通知される。
【００５１】
可能な実施形態においては、前記プロセッサは、前記メモリに格納されたプログラムを読み出し、
前記ＴＲＰグループ内のＴＲＰまたはサブバンドまたはビームにおいて、前記ベースバンドパラメータ決定モジュールにより決定されたベースバンドパラメータに基づき、その後の伝送を行う。
【００５２】
第５の態様によれば、前記ネットワーク側装置は、伝送受信ポイント（ＴＲＰ）グループに所属し、送信モジュールを備え、
前記送信モジュールは、前記ＴＲＰグループにおいて、初期同期信号を送信することにより、端末に、前記初期同期信号に基づいて前記端末の所属のＴＲＰグループを決定させ、前記初期同期信号には、第１の同期信号および／または第２の同期信号が含まれ、および／または
前記ＴＲＰグループにおいて、第３の同期信号および／または前記ＴＲＰグループのシステム情報を送信することにより、前記端末に、前記第３の同期信号および／または前記ＴＲＰグループのシステム情報に基づき、前記ネットワーク側装置のベースバンドパラメータまたは前記ＴＲＰグループ内のネットワーク側装置のベースバンドパラメータを決定させる。
【００５３】
可能な実施形態においては、前記送信モジュールは、
前記ＴＲＰグループのシステム帯域幅に対応する前記ネットワーク側装置の動作帯域幅において、前記第３の同期信号を送信し、または、
事前に約定した前記第３の同期信号の伝送リソースにおいて、前記第３の同期信号を送信し、または、
【００５４】
前記ＴＲＰグループのシステム情報により示される前記第３の同期信号の伝送リソースにおいて、前記第３の同期信号を送信する。
【００５５】
可能な実施形態においては、前記送信モジュールは、
周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
事前に約定したまたは前記ＴＲＰグループのシステム情報により示される第３の同期信号シーケンスとベースバンドパラメータとの対応関係に基づき、前記ネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記ネットワーク側装置のベースバンドパラメータに基づき、前記ネットワーク側装置のベースバンドパラメータに対応する前記第３の同期信号シーケンスを送信し、または、
事前に約定したまたは前記ＴＲＰグループのシステム情報により示される第３の同期信号シーケンスとネットワーク側装置との対応関係に基づき、前記ネットワーク側装置に対応する前記第３の同期信号シーケンスを決定し、前記ネットワーク側装置のベースバンドパラメータに基づき、前記ネットワーク側装置に対応する前記第３の同期信号シーケンスを送信する。
【００５６】
可能な実施形態においては、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれる。
【００５７】
可能な実施形態においては、前記ＴＲＰグループのシステム情報により示される第３の同期信号シーケンスとベースバンドパラメータとの対応関係、または、前記ＴＲＰグループのシステム情報はベースバンドパラメータを示す。
【００５８】
可能な実施形態においては、前記ＴＲＰグループのシステム情報は、前記第３の同期信号の伝送リソースを示す。
【００５９】
可能な実施形態においては、前記送信モジュールは、
事前に約定したベースバンドパラメータまたは前記ＴＲＰグループのシステム情報により示されるベースバンドパラメータまたは前記ネットワーク側装置の１種のデフォルトのベースバンドパラメータに基づき、前記ネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれる。
【００６０】
可能な実施形態においては、前記装置は、前記端末により報告された複数の第３の同期信号シーケンスを受信して、１つまたは複数の第３の同期信号シーケンスを選択する受信モジュールをさらに備え、
前記送信モジュールは、前記受信モジュールにより選択された第３の同期信号シーケンスを前記端末に通知する。
【００６１】
上記いずれの実施例に基づき、可能な実施形態においては、前記装置は、前記ネットワーク側装置の動作帯域幅において、前記ネットワーク側装置のベースバンドパラメータに基づき、その後のデータ伝送を行うデータ伝送モジュールをさらに備える。
【００６２】
上記いずれの実施例に基づき、可能な実施形態においては、前記ネットワーク側装置は、前記ＴＲＰグループ内のＴＲＰまたは基地局である。
【００６３】
第６の態様によれば、ネットワーク側装置は、送受信機と、前記送受信機に接続する少なくとも１つのプロセッサとを備え、
前記プロセッサは、メモリに格納されたプログラムを読み出し、前記ＴＲＰグループにおいて初期同期信号を送信するように前記送受信機を制御することにより、端末に、前記初期同期信号に基づいて前記端末の所属のＴＲＰグループを決定させ、前記初期同期信号には、第１の同期信号および／または第２の同期信号が含まれ、および／または
前記ＴＲＰグループにおいて、第３の同期信号および／または前記ＴＲＰグループのシステム情報を送信するように前記送受信機を制御することにより、前記端末に、前記第３の同期信号および／または前記ＴＲＰグループのシステム情報に基づき、前記ネットワーク側装置のベースバンドパラメータまたは前記ＴＲＰグループ内のネットワーク側装置のベースバンドパラメータを決定させ、
前記送受信機は、前記プロセッサの制御によりデータを送受信する。
【００６４】
可能な実施形態においては、前記プロセッサは、前記メモリに格納されたプログラムを読み出し、
前記ＴＲＰグループのシステム帯域幅に対応する前記ネットワーク側装置の動作帯域幅において、前記第３の同期信号を送信するように前記送受信機を制御し、または、
事前に約定した前記第３の同期信号の伝送リソースにおいて、前記第３の同期信号を送信するように前記送受信機を制御し、または、
前記ＴＲＰグループのシステム情報により示される前記第３の同期信号の伝送リソースにおいて、前記第３の同期信号を送信するように前記送受信機を制御する。
【００６５】
可能な実施形態においては、前記プロセッサは、前記メモリに格納されたプログラムを読み出し、
周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信するように前記送受信機を制御し、または、
事前に約定したまたは前記ＴＲＰグループのシステム情報により示される第３の同期信号シーケンスとベースバンドパラメータとの対応関係に基づき、前記ネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記ネットワーク側装置のベースバンドパラメータに基づいて前記送受信機を制御し、前記ネットワーク側装置のベースバンドパラメータに対応する前記第３の同期信号シーケンスを送信し、または、
事前に約定したまたは前記ＴＲＰグループのシステム情報により示される第３の同期信号シーケンスとネットワーク側装置との対応関係に基づき、前記ネットワーク側装置に対応する前記第３の同期信号シーケンスを決定し、前記ネットワーク側装置のベースバンドパラメータに基づき、前記ネットワーク側装置に対応する前記第３の同期信号シーケンスを送信するように前記送受信機を制御する。
【００６６】
可能な実施形態においては、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれる。
【００６７】
可能な実施形態においては、前記ＴＲＰグループのシステム情報により示される第３の同期信号シーケンスとベースバンドパラメータとの対応関係、または、前記ＴＲＰグループのシステム情報はベースバンドパラメータを示す。
【００６８】
可能な実施形態においては、前記ＴＲＰグループのシステム情報は、前記第３の同期信号の伝送リソースを示す。
【００６９】
可能な実施形態においては、前記プロセッサは、前記メモリに格納されたプログラムを読み出し、
事前に約定したベースバンドパラメータまたは前記ＴＲＰグループのシステム情報により示されるベースバンドパラメータまたは前記ネットワーク側装置の１種のデフォルトのベースバンドパラメータに基づき、前記ネットワーク側装置の専属システム情報を送信するように前記送受信機を制御し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれる。
【００７０】
可能な実施形態においては、前記プロセッサは、前記メモリに格納されたプログラムを読み出し、
前記端末により報告された複数の第３の同期信号シーケンスを受信して、１つまたは複数の第３の同期信号シーケンスを選択するように前記送受信機を制御し、
前記受信モジュールにより選択された第３の同期信号シーケンスを前記端末に通知するように前記送受信機を制御する。
【００７１】
上記いずれの実施例に基づき、可能な実施形態においては、前記プロセッサは前記メモリに格納されたプログラムを読み出し、
前記ネットワーク側装置の動作帯域幅において、前記ネットワーク側装置のベースバンドパラメータに基づき、その後のデータ伝送を行う。
【００７２】
上記いずれの実施例に基づき、可能な実施形態においては、前記ネットワーク側装置は、前記ＴＲＰグループ内のＴＲＰまたは基地局である。
【００７３】
第７の態様によれば第１の態様に記載の前記方法を実行するように構成された実行可能プログラムコードを格納するコンピュータ可読記憶媒体が提供される。
【００７４】
第８の態様によれば、第２の態様に記載の前記方法を実行するように構成された実行可能プログラムコードを格納するコンピュータ可読記憶媒体が提供される。
【発明の効果】
【００７５】
本発明の実施例に係る他の方法及び装置によれば、端末はまず自分の所属のＴＲＰグループを決定し、ＴＲＰグループと同期される。当該ＴＲＰグループにおいて第３の同期信号および／または当該ＴＲＰグループのシステム情報を検出することにより、１つのＴＲＰグループ内の異なるサブバンド、異なるＴＲＰおよび／または異なるビームに対応するベースバンドパラメータ、ＴＲＰグループ内の異なるサブバンドを正確に識別でき、異なるＴＲＰおよび／または異なるビームとの同期を実現し、このようにして、端末は、正確なベースバンドパラメータに基づいて、対応のサブバンド、ＴＲＰおよび／またはビームにおいて動作することを確保できる。
【図面の簡単な説明】
【００７６】
【図１Ａ】ＬＴＥ ＦＤＤシステムにおけるフレーム構成１を示す図である。
【図１Ｂ】ＬＴＥ ＦＤＤシステムにおけるフレーム構成２を示す図である。
【図２Ａ】本発明の実施例に係る他の端末側ベースバンドパラメータを決定する方法を示す図である。
【図２Ｂ】本発明の実施例に係る他のネットワーク側ベースバンドパラメータを決定する方法を示す図である。
【図３】本発明に係る実施例１のシナリオを示す図である。
【図４Ａ−４Ｂ】本発明に係る実施例１の同期信号３を示す図である。
【図５】本発明に係る実施例２のシナリオを示す図である。
【図６Ａ−６Ｂ】本発明に係る実施例２の同期信号３を示す図である。
【図７】本発明に係る実施例３のシナリオを示す図である。
【図８】本発明の実施例に係る他の端末を示す図である。
【図９】本発明の実施例に係る他の端末を示す図である。
【図１０】本発明の実施例に係る他のネットワーク側装置を示す図である。
【図１１】本発明の実施例に係る他のネットワーク側装置を示す図である。
【発明を実施するための形態】
【００７７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造的な作業を行わない限りに得られた他の実施例は、全部本発明の保護範囲に属する。
【００７８】
まず、本発明の実施の形態において言及される複数の技術用語について説明する。
【００７９】
本発明に係る実施例では、通信システムに配置されたＴＲＰは、例えばシステム情報領域（Ｓｙｓｔｅｍ Ｉｎｆｏｒｍａｔｉｏｎ Ａｒｅａ，ＳＩＡ）に従って複数のＴＲＰグループ（ＴＲＰ ｇｒｏｕｐ）にグループ化され、すなわち、ＳＩＡはＴＲＰグループであり、各ＴＲＰグループは以下の特徴を有する。
【００８０】
別個のＴＲＰ ｇｒｏｕｐ ＩＤがある。
【００８１】
ＴＲＰグループにはグループ固有（ｇｒｏｕｐ−ｓｐｅｃｉｆｉｃ）の同期信号があり、例えば、同期信号は１つのみ、例えば第１の同期信号ｓｙｎｃ１のみである。または複数の同期信号、例えば第１の同期信号ｓｙｎｃ１及び第２の同期信号ｓｙｎｃ２があり得る。当該同期信号は、ＴＲＰグループ内のすべてのＴＲＰまたはシステム情報領域（ＳＩＡ）に適用可能である。
【００８２】
ＴＲＰグループには、グループ固有（ｇｒｏｕｐ-ｓｐｅｃｉｆｉｃ）のシステム情報があり、当該システム情報は、ＴＲＰグループに常駐／アクセスするために必要な情報を含む必要システム情報とも呼ばれ、特にマスター情報ブロック（Ｍａｓｔｅｒ Ｉｎｆｏｒｍａｔｉｏｎ Ｂｌｏｃｋ， ＭＩＢ）およびシステム情報ブロック（Ｓｙｓｔｅｍ Ｉｎｆｏｒｍａｔｉｏｎ Ｂｌｏｃｋ，ＳＩＢ）として表すことができる。つまりシステム情報は、当該ＴＲＰ ｇｒｏｕｐ内のすべてのＴＲＰまたはＳＩＡに適用可能な設定情報である。
【００８３】
アイドル（ＩＤＬＥ）状態の端末はＴＲＰ ｇｒｏｕｐに常駐できる。
【００８４】
ＴＲＰ ｇｒｏｕｐは少なくとも１つのＴＲＰ／ビームを含むことができ、ここで、ＴＲＰ ｇｒｏｕｐが複数のＴＲＰ／ビームを含む場合、異なるＴＲＰ/ビームは互いに同期または非同期であり得る。
【００８５】
本発明に係る実施例では、前記ＴＲＰ/ビームは以下の特徴を有する。
【００８６】
各ＴＲＰに１つのＩＤがあり、ＴＲＰが複数のビームを含む場合、各ビームが１つのＩＤを有する。
【００８７】
各ＩＤは、ＩＤを識別するための１つまたは複数の同期信号シーケンス、たとえば第３の同期信号に対応する。
【００８８】
各ＴＲＰ/ビームの送信帯域幅は、システム帯域幅全体、またはシステム帯域幅内の周波数リソースの一部、例えばシステム帯域幅内の１つまたは複数のサブバンドとすることができる。
【００８９】
ＴＲＰまたはビームの送信帯域幅内の異なる周波数リソースにおいて各ＴＲＰまたはビームに異なるベースバンドパラメータを適用することができ、および／または、異なる時間領域リソースにおいて、異なるベースバンドパラメータを適用することができる。
【００９０】
本発明に係る実施例では、ベースバンドパラメータは、ＯＦＤＭシンボルの長さと、ＣＰの長さと、サブキャリア間隔などのうちの少なくとも１つを含むが、これに限定しない。
【００９１】
本発明に係る実施例において言及される「１つまたは複数」などは、２つ以上を指す。ここで、「および／または」は、関連するオブジェクトの３つの可能な関連関係のうちの１つを表し、たとえば、Ａおよび／またはＢは、Ａ単独、Ｂ単独およびＡとＢの両方の３つのインスタンスを表す。
【００９２】
以下、本発明の実施の形態について図面を参照しながらさらに詳細に説明する。 以下に記載される実施形態は、本発明を例示および説明することのみを意図しており、本発明をそれに限定することを意図していないことを理解されたい。
【００９３】
図２Ａに示す実施例に係る端末側ベースバンドパラメータを決定する方法は、以下のステップを備える。
【００９４】
Ｓ２１、端末は、検出した初期同期信号に基づき、前記端末の所属のＴＲＰグループを決定し、前記初期同期信号には、第１の同期信号および／または第２の同期信号が含まれる。
【００９５】
Ｓ２２、前記端末は、前記ＴＲＰグループ内の検出した第３の同期信号および／または前記ＴＲＰグループのシステム情報に基づき、ベースバンドパラメータを決定する。
【００９６】
前記ＴＲＰグループのシステム情報は、当該ＴＲＰ ｇｒｏｕｐ内の全てのＴＲＰに対して有効な設定情報であり、ＴＲＰグループ内の一部または全部のＴＲＰにより送信される。例えば、前記システム情報は、前記ＴＲＰグループ内の全てのＴＲＰにより送信されるか、または、前記ＴＲＰ グループ内の１つまたは複数のＴＲＰにより送信されるか、または、前記ＴＲＰグループ内の、周波数帯域（例えば低周波数帯域）において動作する一部または全部のＴＲＰにより送信される。
【００９７】
Ｓ２２での前記端末が前記ＴＲＰグループ内の検出した第３の同期信号は、予め設定された閾値を超える前記端末が受信した第３の同期信号のエネルギー、信号強度および／または受信インデックスを示す。または、最も高いエネルギー、信号強度、および／または受信されたインデックスを有する検出された第３の同期信号として具現化することができる。
【００９８】
前記受信インデックスは、基準信号受信電力（ｒｅｆｅｒｅｎｃｅ Ｓｉｇｎａｌ Ｒｅｃｅｉｖｅｄ Ｐｏｗｅｒ， ＲＳＲＰ）と、基準信号受信品質（ｒｅｆｅｒｅｎｃｅ Ｓｉｇｎａｌ Ｒｅｃｅｉｖｅｄ Ｑｕａｌｉｔｙ， ＲＳＲＱ）などを含むが、これらに限定されない。
【００９９】
好ましくは、前記第３の同期信号は、１つの同期信号のみを含むことができ、または複数の同期信号を含むことができ、第３の同期信号は、一次同期信号（Ｐｒｉｍａｒｙ Ｓｙｎｃｈｒｏｎｉｚａｔｉｏｎ Ｓｉｇｎａｌ， ＰＳＳ）と、二次同期信号（Ｓｅｃｏｎｄａｒｙ Ｓｙｎｃｈｒｏｎｉｚａｔｉｏｎ Ｓｉｇｎａｌ， ＳＳＳ）と、サブバンド検出信号とのうちの少なくとも一つを含む。
【０１００】
本発明に係る実施例では、端末はまず自分の所属のＴＲＰグループを決定し、ＴＲＰグループと同期される。当該ＴＲＰグループにおいて第３の同期信号および／または当該ＴＲＰグループのシステム情報を検出することにより、１つのＴＲＰグループ内の異なるサブバンド、異なるＴＲＰおよび／または異なるビームに対応するベースバンドパラメータ、ＴＲＰグループ内の異なるサブバンドを正確に識別でき、異なるＴＲＰおよび／または異なるビームとの同期を実現し、このようにして、端末は、正確なベースバンドパラメータに基づいて、対応のサブバンド、ＴＲＰおよび／またはビームにおいて動作することを確保できる。
【０１０１】
本発明に係る実施例では、前記第１の同期信号及び前記第２の同期信号は、異なる時間領域リソースおよび／または異なる周波数領域リソースを占有して送信される同期信号である。
【０１０２】
当該方式では、前記端末は、デフォルトのベースバンドパラメータを用いて初期同期信号を検出する。ここで、デフォルトのベースバンドパラメータは、事前に約定した１つまたは複数のベースバンドパラメータであるか、またはデフォルトのベースバンドパラメータは、通信システムによりサポートされまたは定義された１つまたは複数のベースバンドパラメータである。または、デフォルトのベースバンドパラメータは、周波数帯域との間に対応関係が存在し、前記端末は、周波数帯域とデフォルトのベースバンドパラメータとの対応関係に基づき、前記端末により現在検出された周波数帯域に対応するベースバンドパラメータを決定し、決定されたベースバンドパラメータに基づき、現在の周波数帯域において初期同期信号を検出する。例えば、３種のベースバンドパラメータの定義は表２に示すように、周波数帯域１は、ベースバンドパラメータ１及びベースバンドパラメータ２を定義し、周波数帯域２は、ベースバンドパラメータ３を定義する。別の例として、周波数帯域１はベースバンドパラメータ１を定義し、周波数帯域２はベースバンドパラメータ２を定義し、周波数帯域３は、ベースバンドパラメータ３定義するなど。
【０１０３】
ここで、３種のベースバンドパラメータの１種可能な定義方式は表２に示す。
【０１０４】
【表２】
2019526967.tif 000012
【０１０５】
周波数帯域とデフォルトのベースバンドパラメータとの対応関係の１種の可能の形態は、表３に示す。
【０１０６】
【表３】
2019526967.tif 000013
【０１０７】
周波数帯域とデフォルトのベースバンドパラメータとの対応関係の他の１種の可能の形態は、表４に示す
【０１０８】
【表４】
2019526967.tif 000014
【０１０９】
当該方式では、デフォルトのベースバンドパラメータが多様であれば、前記端末は、各デフォルトのベースバンドパラメータに基づき、前記初期同期信号をブラインド検出する。
【０１１０】
当該方式では、前記端末は、事前に約定した時間領域リソースおよび／または周波数領域リソースにおいて、前記初期同期信号を検出する。
【０１１１】
当該方式では、端末は、検出した初期同期信号に基づき、当該端末の所属のＴＲＰグループを決定する可能の形態は以下のとおりである。
【０１１２】
端末は、検出した初期同期信号から、信号強度が最大の初期同期信号を選択する。
【０１１３】
端末は、初期同期信号とＴＲＰグループ識別子（ＩＤ）との対応関係に基づき、選択した初期同期信号に対応するＴＲＰグループＩＤを決定する。
【０１１４】
端末は、決定されたＴＲＰグループＩＤに対応するＴＲＰグループを、当該端末の所属のＴＲＰグループとして決定する。
【０１１５】
また、端末は、初期同期信号に基づき、当該端末の所属のＴＲＰグループとの同期関係を決定する。
【０１１６】
ここで、当該同期関係は、その後に当該ＴＲＰグループにおけるダウンリンク受信に用いられる。例えば、ＴＲＰグループの必要なシステム情報を受信し、アクセス同期信号を検出するなど。
【０１１７】
上記いずれの実施例に基づき、Ｓ２２での前記端末は、前記ＴＲＰグループ内の検出した第３の同期信号および／または前記ＴＲＰグループのシステム情報に基づき、ベースバンドパラメータを決定する前、
前記端末は、以下の３つの可能な方式で前記ＴＲＰグループにおいて第３の同期信号を検出する。
【０１１８】
方式Ａ、前記端末は、前記ＴＲＰグループのシステム帯域幅において、前記第３の同期信号を検出する。
【０１１９】
前記ＴＲＰグループのシステム帯域幅は、事前に約定されたか、または、前記ＴＲＰグループのシステム情報により通知されたものである。
【０１２０】
方式Ｂ、前記端末は、事前に約定した第３の同期信号の伝送リソースにおいて、前記第３の同期信号を検出する。
【０１２１】
ここで、事前に約定した第３の同期信号の伝送リソースは、前記初期同期信号の伝送リソースと同じであるか、または、システム帯域幅上の固定周波数領域リソースである。
【０１２２】
方式Ｃ、前記端末前記ＴＲＰグループのシステム情報により示される前記第３の同期信号の伝送リソースにおいて、前記第３の同期信号を検出する。
【０１２３】
本発明に係る実施例では、前記伝送リソースは、前記第３の同期信号の伝送に占有された時間領域リソースおよび／または周波数領域リソースであり、即ち、具体的なリソース位置及びサイズである。または、前記第３の同期信号の検出のための時間領域ウィンドウおよび／または周波数領域ウィンドウである。即ち、時間領域での検出範囲および／または周波数領域での検出範囲である。当該範囲は、第３の同期信号伝送に占有された時間領域リソースおよび／または周波数領域リソースより大きい。
【０１２４】
前記伝送リソースが前記第３の同期信号の伝送に占有された時間領域リソースおよび／または周波数領域リソースであれば、前記端末は、前記ＴＲＰグループとの同期関係に基づき、前記第３の同期信号の伝送に占有された時間領域リソース及び周波数領域リソースにおいて、前記第３の同期信号を検出する。
【０１２５】
前記伝送リソースが前記第３の同期信号の検出のための時間領域ウィンドウおよび／または周波数領域ウィンドウであれば、前記端末は、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンド、ＴＲＰまたはビームとの同期関係を取得する。
【０１２６】
上記いずれの実施例に基づき、前記端末は、以下の複数の方式で前記ＴＲＰグループにおいて第３の同期信号を検出する。
【０１２７】
方式１、前記端末は、所定のベースバンドパラメータに基づき、前記第３の同期信号を検出する。
【０１２８】
当該方式では、１つまたは複数の前記第３の同期信号の検出のためのベースバンドパラメータを事前に設定する。
【０１２９】
当該方式では、多様な前記第３の同期信号の検出のためのベースバンドパラメータを事前に設定した場合、前記端末は、ベースバンドパラメータそれぞれに基づき、前記第３の同期信号をブラインド検出する。
【０１３０】
当該方式では、所定のベースバンドパラメータは、初期同期信号を検出するベースバンドパラメータと同様であるか、または異なる。
【０１３１】
方式２、前記端末は、周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出する。
【０１３２】
当該方式では、周波数帯域とベースバンドパラメータとの対応関係は事前に設定されたものであり、その実施方式は、上記周波数帯域とデフォルトのベースバンドパラメータとの対応関係を参考することができる。
【０１３３】
ここで、周波数帯域とベースバンドパラメータとの対応関係及び周波数帯域とデフォルトのベースバンドパラメータとの対応関係は、同じであってもよい。
【０１３４】
当該方式では、現在前記第３の同期信号が検出されている周波数帯域に対応するベースバンドパラメータが多様であると決定すれば、前記端末は、各ベースバンドパラメータに基づき、前記第３の同期信号をブラインド検出する。
【０１３５】
方式３、前記端末は、通信システムによりサポートされたベースバンドパラメータに基づき、前記第３の同期信号を検出する。
【０１３６】
当該方式では、通信システムによりサポートされたベースバンドパラメータが多様であれば、前記端末は、ベースバンドパラメータそれぞれに基づき、前記第３の同期信号をブラインド検出する。
【０１３７】
方式４、前記端末は、前記ＴＲＰグループのシステム情報により示されるベースバンドパラメータに基づき、前記第３の同期信号を検出する。
【０１３８】
当該方式では、前記ＴＲＰグループのシステム情報には、前記第３の同期信号の検出を示すベースバンドパラメータが含まれる。
【０１３９】
当該方式では、前記システム情報により示されるベースバンドパラメータが多様であれば、前記端末は、ベースバンドパラメータそれぞれに基づき、前記第３の同期信号をブラインド検出する。
【０１４０】
方式５、前記端末は、事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出する。
【０１４１】
当該方式では、前記端末は、各第３の同期信号シーケンスのベースバンドパラメータに基づき、前記第３の同期信号をブラインド検出する。
【０１４２】
方式６、前記端末は、前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出する。
【０１４３】
上記方式１〜４では、前記第３の同期信号を伝送するのに用いられるベースバンドパラメータは、第３の同期信号に基づき決定された対応のサブバンドまたはＴＲＰまたはビームのベースバンドパラメータと異なる。
【０１４４】
上記いずれの実施例に基づき、Ｓ２２での前記端末は、以下の実施方式で、前記ＴＲＰグループ内の検出した第３の同期信号および／または前記ＴＲＰグループのシステム情報に基づき、ベースバンドパラメータを決定する。
【０１４５】
方式ａ、前記端末は、検出した前記第３の同期信号の伝送に用いられるベースバンドパラメータを、前記第３の同期信号に対応するサブバンド、ＴＲＰおよび／またはビームに用いられるベースバンドパラメータとして決定する。
【０１４６】
方式ｂ、前記端末は、事前に約定した第３の同期信号シーケンスとサブバンドまたはＴＲＰまたはビームに用いられるベースバンドパラメータとの対応関係に基づき、検出した第３の同期信号シーケンスに対応するサブバンド、ＴＲＰおよび／またはビームに用いられるベースバンドパラメータを決定する。
【０１４７】
方式ｃ、前記端末は、前記システム情報により示される第３の同期信号シーケンスとサブバンドまたはＴＲＰまたはビームに用いられるベースバンドパラメータとの対応関係に基づき、検出した第３の同期信号シーケンスに対応するサブバンド、ＴＲＰおよび／またはビームに用いられるベースバンドパラメータを決定する。
【０１４８】
方式ａ、ｂ及び方式ｃでは、検出した第３の同期信号シーケンスの数が少なくとも２つであれば、前記端末がベースバンドパラメータを決定する場合、
前記端末は、各第３の同期信号シーケンスに対応するサブバンド、ＴＲＰおよび／またはビームに用いられるベースバンドパラメータを決定し、または、
前記端末は、前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定する。
【０１４９】
また、前記端末は、前記少なくとも２つの第３の同期信号シーケンスから、少なくとも１つの第３の同期信号シーケンスを選択する場合、
前記端末は、前記少なくとも２つの第３の同期信号シーケンスの受信エネルギー、信号強度および／または受信インデックス（例えば、ＲＳＲＰ、ＲＳＲＱなど）に基づき、前記少なくとも２つの第３の同期信号シーケンスから、少なくとも１つの第３の同期信号シーケンスを選択し、または、
前記端末は、前記少なくとも２つの第３の同期信号シーケンスをネットワーク側に報告し、ネットワーク側によって通知された少なくとも１つの第３の同期信号シーケンスを受信する。
【０１５０】
例を挙げて説明する。例えば、前記端末は、前記少なくとも２つの第３の同期信号シーケンスから、受信エネルギー、信号強度および／または受信インデックスが最高の１つまたは複数の第３の同期信号シーケンスを選択する。別の例では、前記少なくとも２つの第３の同期信号シーケンスの受信エネルギー、信号強度および／または受信インデックスが、同じぐらいであれば、前記端末は、１つまたは複数をランダムに選択する。
【０１５１】
方式ｄ、前記端末は、所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定する。
【０１５２】
方式ｅ、前記端末は、前記システム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定する。
【０１５３】
方式ｄ及び方式ｅにおいて、ＴＲＰ専属システム情報は、当該ＴＲＰ専属システム情報を送信するＴＲＰに対して有効である設定情報である。前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれる。
【０１５４】
本発明に係る実施例では、前記サブバンドは、システム帯域幅が予め分割された帯域幅部分（ｂａｎｄｗｉｄｔｈ ｐａｒｔ）であり、システム帯域幅が事前に約定した方式で予め分割され得、例えば、システム帯域幅及び事前に約定した規則の下でシステム帯域幅をＰ個のサブバンドに分割され得る。また、前記ＴＲＰグループのシステム情報により通知されたものである。
【０１５５】
本発明に係る実施例では、第３の同期信号とサブバンドとの対応関係は、事前に約定した方式で決定されるか、例えば、各第３の同期信号の伝送リソースは、１つまたは複数の当該伝送リソースが含まれるサブバンドに対応する。または各第３の同期信号シーケンスは、１つまたは複数の当該伝送リソースが含まれるサブバンドに対応する。例えば、第３の同期信号シーケンス０〜Ａはサブバンド０に対応し、第３の同期信号シーケンスＡ+１〜Ｂは、サブバンド１に対応し、このように類推する。または第３の同期信号とサブバンドとの対応関係は、前記ＴＲＰグループのシステム情報により通知されたものである。例えば、異なる第３の同期信号シーケンスと異なるサブバンドとの対応関係を直ちに通知するか、または、第３の同期信号の異なる伝送リソースと異なるサブバンドとの対応関係を通知する。
【０１５６】
上記方式ａ〜方式ｅでは、１つのＴＲＰにビームが１つしかない場合、前記端末によって決定されるベースバンドパラメータは、当該ＴＲＰに用いられるベースバンドパラメータと当該ビームに用いられるベースバンドパラメータ両方になることに留意されたい。１つのＴＲＰに複数のビームがある場合、各ビームのベースバンドパラメータが同じであれば、前記端末によって決定されたＴＲＰのベースバンドパラメータは、各ビームのベースバンドパラメータである。各ビームのベースバンドパラメータが異なれば、前記端末は、各ビームに対しベースバンドパラメータを決定し、こうして、当該ＴＲＰのビーム１におけるベースバンドパラメータを得、また、当該ＴＲＰのビーム２におけるベースバンドパラメータを得て、このように類推する。ＴＲＰが１つのサブバンドのみで動作する場合、前記端末によって決定されるベースバンドパラメータは、当該ＴＲＰに用いられるベースバンドパラメータであり、当該サブバンドのベースバンドパラメータでもある。ＴＲＰが複数のサブバンドで動作すれば、各サブバンドのベースバンドパラメータが異なる場合、前記端末によって決定されたＴＲＰのベースバンドパラメータは、各サブバンドのベースバンドパラメータである。各サブバンドのベースバンドパラメータが異なる場合、前記端末は、各サブバンドに対しベースバンドパラメータを決定して、当該ＴＲＰのサブバンド１におけるベースバンドパラメータ、及び当該ＴＲＰのサブバンド２におけるベースバンドパラメータを得、このように類推する。１つのＴＲＰにビームが１つしかない、かつ当該ＴＲＰが１つのみサブバンドで動作する場合、前記端末によって決定されるベースバンドパラメータは、当該ＴＲＰ、当該サブバンド及び当該ビームに用いられるベースバンドパラメータである。１つのＴＲＰにビームが１つしかない、かつ当該ＴＲＰが複数のサブバンドで動作すれば、または１つのＴＲＰに複数のビームがあり、かつ、当該ＴＲＰが１つのみのサブバンドで動作すれば、または１つのＴＲＰに複数のビームがあり、かつ当該ＴＲＰが複数のサブバンドで操作すれば、ＴＲＰの異なるサブバンド、異なるビームのベースバンドパラメータは、上記の事例の組み合わせで識別され得る。
【０１５７】
上記方式Ａ〜方式Ｃ、方式１〜方式６、及び方式ａ〜方式ｅでは、ＴＲＰグループのシステム情報から関連情報を取得しようとすれば、第３の同期信号を検出する前、前記ＴＲＰグループのシステム情報を受信する。
【０１５８】
具体的に、前記初期同期信号に基づいて取得した前記ＴＲＰグループとの同期関係に従い、特定の時間領域リソース及び周波数領域リソースにおいて、所定の方式で前記ＴＲＰグループのシステム情報を受信する。
【０１５９】
上記方式Ａ〜方式Ｃ、方式１〜方式６、及び方式ａ〜方式ｅの組み合わせにおける方法について、そのいくつかの実施形態に関連して以下に詳細に説明する。説明の便宜上、第３の同期信号を同期信号３と称し、前記第３の同期信号シーケンスを同期信号３のシーケンスと称する。
【０１６０】
方法１：前記端末は、前記ＴＲＰグループ内の伝送されたシステム情報を受信し、前記システム情報の指示に基づいて、同期信号３を検出し、ベースバンドパラメータを決定する。
【０１６１】
当該方法では、前記システム情報は、同期信号３を検出するための伝送リソース（具体的な時間領域リソースおよび／または周波数領域リソース、または同期信号３を検出するための時間領域ウィンドウおよび／または周波数領域ウィンドウが含まれる）と、ＴＲＰグループまたは同期信号３のベースバンドパラメータと、同期信号３のシーケンスとサブバンドまたはＴＲＰまたはビームに用いられるベースバンドパラメータとの対応関係とのうちの少なくとも、１つまたは複数を示す。
【０１６２】
前記システム情報により示される伝送リソースは、１つまたは複数である。当該伝送リソースは、前記初期同期信号の伝送リソースと同じであるか、または異なる。前記システム情報により示されるベースバンドパラメータは１つまたは複数である。
【０１６３】
当該方法はさらに以下５つ可能の実施方法を含む。
【０１６４】
方法１-１：前記システム情報は、同期信号３を検出するための伝送リソースを少なくとも示す。
【０１６５】
前記端末は、前記同期信号３の伝送リソースにおいて、所定のベースバンドパラメータ、または前記システム情報により示されるベースバンドパラメータ、または通信システムによりサポートされた多様なベースバンドパラメータ、または前記対応関係に基づいて決定された、異なる同期信号３のシーケンスを検出するためのベースバンドパラメータに基づき、同期信号３を検出する。
【０１６６】
異なる同期信号３のシーケンスとサブバンドまたはＴＲＰまたはビームに用いられる異なるベースバンドパラメータとの間に、対応関係があり、ブラインド検出回数を低減できるが、ＴＲＰが異なるサブバンドにおいて異なるベースバンドパラメータを用いることができない。複数の異なる同期信号３のシーケンスが１つのＴＲＰ ＩＤまたはビーム ＩＤに対応すると約定された場合は、異なるベースバンドパラメータを用いることができる。前記対応関係は、事前に約定されるか、または、前記システム情報により示される。
【０１６７】
また、前記端末は、各同期信号３の伝送リソースにおいて検出した同期信号３のシーケンス及び前記対応関係に基づき、前記同期信号３のシーケンスに対応するサブバンドまたはＴＲＰまたはビームのベースバンドパラメータを決定する。または、前記端末は、各同期信号３の伝送リソースにおいて検出した同期信号３のシーケンスから１つまたは複数の同期信号３のシーケンスを選出し、当該選出された同期信号３のシーケンス及び前記対応関係に基づき、当該選出された同期信号３のシーケンスに対応するサブバンドまたはＴＲＰまたはビームのベースバンドパラメータを決定する。
【０１６８】
方法１-２：前記システム情報は、同期信号３を検出するための伝送リソースを少なくとも示す。前記端末は、前記システム情報により通知された多様なベースバンドパラメータまたは通信システムによりサポートされた多様なベースバンドパラメータに基づき、前記同期信号３の伝送リソースにおいて、同期信号３を検出する。
【０１６９】
また、前記端末は、同期信号３の伝送リソースにおいて検出した同期信号３のシーケンスに用いられるベースバンドパラメータを、当該同期信号３に対応するサブバンド、ＴＲＰおよび／またはビームのベースバンドパラメータとする。または、前記端末は、各同期信号３の伝送リソースにおいて検出した同期信号３のシーケンスから選択された１つまたは複数の同期信号３のシーケンスに用いられるベースバンドパラメータを、当該選択された同期信号３のシーケンスに対応するサブバンドまたはＴＲＰまたはビームのベースバンドパラメータとする。
【０１７０】
当該方法でブラインド検出を採用し、即ち、異なるベースバンドパラメータで同期信号３を検出することを試す。当該方法でのブラインド検出回数は、方法１-１より大きい。システムにＮ個の同期信号３のシーケンスがあれば、方法１-１では、Ｎ回ブラインド検出を行い、方法１-２では、Ｎ*Ｍ回ブラインド検出を行い、Ｍは、システムによりサポートされたまたは標準規格に定義されたベースバンドパラメータの種類数である。当該方法のメリットは、事前の約定不要または同期信号３とベースバンドパラメータとの対応関係の通知の不要であり、また、１つのサブバンドまたはＴＲＰまたはビームが唯一の同期信号３のシーケンスに対応する場合、１つのサブバンドまたはＴＲＰまたはビームが異なる周波数領域リソースにおいて異なるベースバンドパラメータを用いることがサポートされる。
【０１７１】
方法１-３：前記システム情報は、当該ＴＲＰグループのベースバンドパラメータまたは当該ＴＲＰグループ内の同期信号３の伝送に用いられるベースバンドパラメータを少なくとも示す。
【０１７２】
ここで、前記システム情報により示されるベースバンドパラメータが１種であれば、全ての伝送のベースバンドパラメータが同じであるとデフォルトされ、同期信号３は、端末アクセスのサブバンド、ＴＲＰおよび／またはビームを決定するためにのみ検出される。
【０１７３】
前記端末は、前記ＴＲＰグループのシステム帯域幅上または事前に約定した同期信号３の伝送リソースにおいて、前記システム情報により示されるベースバンドパラメータに基づき、同期信号３を検出する。この時、同期信号３のシステム帯域幅上の具体的な位置を知らないため、ブラインド検出によって決定されるので、各時間領域単位内でシステム帯域幅において同期信号３を検出するか、または、事前に約定した一部の時間領域単位内でシステム帯域幅において同期信号３を検出する。
【０１７４】
ここで、時間領域単位は、時間領域において、同期信号３を検出するための最小単位である。例えば、１つの同期信号３が１個のＯＦＤＭシンボルを占有して伝送されると、各時間領域単位は、１個のＯＦＤＭシンボルである。１つの同期信号３がＡ個のＯＦＤＭシンボルを占有して伝送されると、Ａ個のＯＦＤＭシンボルは、１つの時間領域単位である。
【０１７５】
また、前記端末は、検出した同期信号３のシーケンスに用いられるベースバンドパラメータを、当該検出した同期信号３のシーケンスに対応するサブバンドまたはＴＲＰまたはビームのベースバンドパラメータとする。または、前記端末は、検出した同期信号３のシーケンスから選択された１つまたは複数のシーケンスに用いられるベースバンドパラメータを、当該選択した同期信号３のシーケンスに対応するサブバンドまたはＴＲＰまたはビームのベースバンドパラメータとする。
【０１７６】
方法１-４：前記システム情報は、当該ＴＲＰグループ内の同期信号３の伝送に用いられるベースバンドパラメータを少なくとも示す。
【０１７７】
前記端末は、前記ＴＲＰグループのシステム帯域幅上または事前に約定した同期信号３の伝送リソースにおいて、前記ベースバンドパラメータに基づき、同期信号３を検出する。この時、同期信号３のシステム帯域幅上の具体的な位置を知らないため、ブラインド検出により決定し、各時間領域単位内でシステム帯域幅において同期信号３を検出するか、または、事前に約定した一部の時間領域単位内でシステム帯域幅において同期信号３を検出する。
【０１７８】
異なる同期信号３のシーケンスとサブバンドまたはＴＲＰまたはビームに用いられる異なるベースバンドパラメータとの間に、対応関係があり、前記対応関係は、事前に約定されるか、または前記システム情報により示される。
【０１７９】
また、前記端末は、検出した同期信号３のシーケンス及び前記対応関係に基づき、当該検出した同期信号３のシーケンスに対応するサブバンドまたはＴＲＰまたはビームのベースバンドパラメータを決定するか、または前記端末は、検出した同期信号３のシーケンスから１つまたは複数の同期信号３のシーケンスを選択し、前記選択された１つまたは複数の同期信号３のシーケンス及び前記対応関係に基づき、当該選択された同期信号３のシーケンスに対応するサブバンドまたはＴＲＰまたはビームのベースバンドパラメータを決定する。
【０１８０】
方法１-３または方法１-４の場合、前記システム情報は、少なくとも２種のベースバンドパラメータの存在を示し、前記端末は、前記システム帯域幅において、前記少なくとも２種のベースバンドパラメータに基づき、同期信号３をブラインド検出する。
【０１８１】
方法１-５：前記システム情報は、異なる同期信号３のシーケンスとサブバンドまたはＴＲＰまたはビームに用いられる異なるベースバンドパラメータの間に対応関係が存在することを少なくとも示す。
【０１８２】
前記端末は、前記ＴＲＰグループのシステム帯域幅上または事前に約定した同期信号３の伝送リソースにおいて、所定のベースバンドパラメータ、または前記システム情報により示されるベースバンドパラメータ、または通信システムによりサポートされた多様なベースバンドパラメータ、または前記対応関係に基づいて決定された、異なる同期信号３のシーケンスを検出するためのベースバンドパラメータ、同期信号３を検出するシーケンス。この時、同期信号３のシステム帯域幅上の具体的な位置を知らないため、ブラインド検出により決定し、各時間領域単位内でシステム帯域幅において同期信号３を検出するか、または、事前に約定した一部の時間領域単位内でシステム帯域幅において同期信号３を検出する。
【０１８３】
また、前記端末は、前記検出した同期信号３のシーケンス及び前記対応関係に基づき、当該同期信号３のシーケンスに対応するサブバンドまたはＴＲＰまたはビームのベースバンドパラメータを決定する。または、前記端末は、検出した同期信号３のシーケンスから、１つまたは複数の同期信号３のシーケンスを選択し、当該選出された同期信号３のシーケンス及び前記対応関係に基づき、当該選出された同期信号３のシーケンスに対応するサブバンドまたはＴＲＰまたはビームのベースバンドパラメータを決定する。
【０１８４】
方法２：当該方法では、ブラインド検出は、システム情報内の同期信号３に関する情報を通知せずに直接実行されるため、前記端末がシステム情報を受信するのは、システム帯域幅、システムフレーム番号（Ｓｙｓｔｅｍ Ｆｒａｍｅ Ｎｕｍｂｅｒ，ＳＦＮ）などのパラメータを取得するためである。これらのパラメータが、同期信号３の検出に必要としなければ、前記システム情報を受信せず、同期信号３を直接に検出することができる。
【０１８５】
前記端末は、前記ＴＲＰグループのシステム帯域幅においてまたは事前に約定した同期信号３の伝送リソースにおいて同期信号３を検出する。前記同期信号３に基づき、ベースバンドパラメータを決定する。以下２種の可能の方法がさらに含まれる。
【０１８６】
方法２-１：前記端末は、検出した同期信号３に用いられるベースバンドパラメータを、前記同期信号３に対応するサブバンド、ＴＲＰおよび／またはビームのベースバンドパラメータとする。または、前記端末は、前記検出した同期信号３のシーケンスから１つまたは複数の同期信号３のシーケンスを選出し、当該選出された同期信号３のシーケンスに用いられるベースバンドパラメータを、当該選出された同期信号３のシーケンスに対応するサブバンド、ＴＲＰおよび／またはビームのベースバンドパラメータとする。
【０１８７】
方法２-２：異なる同期信号３のシーケンスと、サブバンドまたはＴＲＰまたはビームに用いられる異なるベースバンドパラメータとの対応関係を事前に約定する。前記端末は、検出した同期信号３のシーケンス及び前記対応関係に基づき、前記同期信号３のシーケンスに対応するサブバンドまたはＴＲＰまたはビームのベースバンドパラメータを決定する。または、前記端末は、前記検出した同期信号３のシーケンスから１つまたは複数の同期信号３のシーケンスを選出し、当該選出された同期信号３のシーケンス及び前記対応関係に基づき、当該選出された同期信号３のシーケンスに対応するサブバンドまたはＴＲＰまたはビームのベースバンドパラメータを決定する。
【０１８８】
方法３：端末は、まず、同期信号３を検出して、検出した同期信号３に対応するＴＲＰにより送信されたＴＲＰ専属システム情報（ＴＲＰ ｓｐｅｃｉｆｉｃシステム情報）を受信して、ベースバンドパラメータを取得する。
【０１８９】
前記端末は、前記ＴＲＰグループのシステム帯域幅において、または事前に約定した同期信号３の伝送リソースにおいて、または前記システム情報により示される同期信号３の伝送リソースにおいて、事前に約定したベースバンドパラメータまたは前記システム情報により示されるベースバンドパラメータまたは通信システムによりサポートされた多様なベースバンドパラメータに基づき、同期信号３を検出する。
【０１９０】
また、前記端末は、事前に約定したベースバンドパラメータまたは前記システム情報により示されるベースバンドパラメータに基づき、前記同期信号３に対応するＴＲＰにより送信されたＴＲＰ専属システム情報を受信し、前記ＴＲＰ専属システム情報に基づき、前記ＴＲＰのベースバンドパラメータ、または前記ＴＲＰ内の各ビームのベースバンドパラメータ、または前記ＴＲＰの、異なる時間領域リソースおよび／または周波数領域リソースにおけるベースバンドパラメータを決定する。
【０１９１】
本発明に係る実施例では、Ｓ２２での前記端末は、前記ＴＲＰグループ内の検出した同期信号および／または前記ＴＲＰグループのシステム情報に基づき、ベースバンドパラメータを決定する場合、以下の方式を採用することもできる。
【０１９２】
前記端末は、前記ＴＲＰグループのシステム情報を受信し、前記システム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれる。
【０１９３】
当該方式では、第３の同期信号を検出せず、直接にＴＲＰグループのシステム情報の指示に基づくことができる。即ち、当該ＴＲＰグループ内の各ＴＲＰ、各サブバンド、各ビームのベースバンドパラメータを取得することができる。ここで、少なくとも１つのＴＲＰに複数のサブバンドおよび／またはビームが含まれれば、当該ＴＲＰの、各サブバンドおよび／またはビーム上のベースバンドパラメータを取得することもできる。前記端末が１つのＴＲＰにアクセスして動作する必要がある場合、前記端末は、前記ＴＲＰグループのシステム帯域幅上または事前に約定した第３の同期信号の伝送リソース上または前記ＴＲＰグループのシステム情報により示される第３の同期信号の伝送リソースにおいて、第３の同期信号を検出する。検出信号強度が最大の第３の同期信号に決める。当該第３の同期信号に対応するＴＲＰを前記端末によりアクセスされたＴＲＰとする。第３の同期信号を検出する場合、前記ＴＲＰグループのシステム情報により示されるベースバンドパラメータとＴＲＰまたはビームまたはサブバンドとの対応関係、及び各ＴＲＰまたはビームまたはサブバンドと第３の同期信号との対応関係に基づき、各第３の同期信号のベースバンドパラメータを決定する。即ち、例えば、第３の同期信号シーケンスＡは、ＴＲＰ１及びベースバンドパラメータ１に対応する。第３の同期信号シーケンスＢは、ＴＲＰ２及びベースバンドパラメータ２に対応する。第３の同期信号シーケンスＣは、ＴＲＰ３及びベースバンドパラメータ１に対応する。第３の同期信号シーケンスＤは、ＴＲＰ４及びベースバンドパラメータ３に対応する。このように類推する。こうして、前記端末は、第３の同期信号シーケンスを逐一にブラインド検出する。即ち、ベースバンドパラメータ１で第３の同期信号シーケンスＡを検出することを試す。ベースバンドパラメータ２で第３の同期信号シーケンスＢを検出することを試す。ベースバンドパラメータ１で第３の同期信号シーケンスＣを検出することを試す。ベースバンドパラメータ３で第３の同期信号シーケンスＤを検出することを試す。このように類推する。前記端末は、検出した信号強度が最大の第３の同期信号に対応するＴＲＰまたはビームまたはサブバンドにアクセスまたは常駐する。当該アクセスＴＲＰのＴＲＰ専属システム情報をさらに取得して、当該ＴＲＰのさらなる設定情報を取得し、当該ＴＲＰのサービスにより、さらにデータを伝送する。
【０１９４】
上記いずれの実施例に基づき、本発明に係る実施例では、前記第３の同期信号（または同期信号３）とサブバンドまたはＴＲＰまたはビームとの対応関係は、事前に約定した方式で決定されるか、または、前記ＴＲＰグループのシステム情報により通知される。ここで、複数の第３の同期信号シーケンスは、同一のＴＲＰまたはビームに対応することができる。例えば、１つのＴＲＰに複数のサブバンドが含まれる。各サブバンドのベースバンドパラメータが異なり、異なるサブバンドにおいて異なる第３の同期信号シーケンスを送信することができるが、同一のＴＲＰに対応する。別の例では、ＴＲＰに複数のビームが含まれ、各ビームのベースバンドパラメータが異なり、異なるビームにおいて、異なる第３の同期信号シーケンスを送信することができるが、同一のＴＲＰに対応する。
【０１９５】
上記いずれの実施例に基づき、Ｓ２２の後、前記方法では、前記端末は、前記ＴＲＰグループ内のＴＲＰまたはサブバンドまたはビームにおいて、決定されたベースバンドパラメータに基づき、伝送する。
【０１９６】
具体的に、前記端末は、検出した第３の同期信号により、自分が常駐またはアクセスするＴＲＰ、サブバンドおよび／またはビームを検出し、端末は、決定されたＴＲＰ、サブバンドおよび／またはビームにおいて、Ｓ２２により決定されたベースバンドパラメータに基づいて、その後の伝送を行う。
【０１９７】
さらに、端末は、第３の同期信号により、自分が常駐またはアクセスするＴＲＰ、サブバンドおよび／またはビームとの同期を決定する。さらに、自分が常駐またはアクセスするＴＲＰにより送信されたＴＲＰ専属システム情報（ＭＩＢ及びＳＩＢとのうちの少なくとも１つが含まれる）を受信し、当該ＴＲＰの設定情報、例えば、送信帯域幅などを取得する。
【０１９８】
図２Ｂに示す実施例に係る種のネットワーク側ベースバンドパラメータを決定する方法は、以下のステップを備える。
【０１９９】
Ｓ３１、ＴＲＰグループ内の第１のネットワーク側装置は、前記ＴＲＰグループにおいて、初期同期信号を送信することにより、端末に、前記初期同期信号に基づいて前記端末の所属のＴＲＰグループを決定させ、前記初期同期信号には、第１の同期信号および／または第２の同期信号が含まれる。
【０２００】
Ｓ３２、前記ＴＲＰグループ内の第２のネットワーク側装置は、前記ＴＲＰグループにおいて第３の同期信号を送信し、および／または、前記ＴＲＰグループ内の第３のネットワーク側装置は、前記ＴＲＰグループにおいて前記ＴＲＰグループのシステム情報を送信することにより、前記端末に、前記第３の同期信号および／または前記ＴＲＰグループのシステム情報に基づき、前記第２のネットワーク側装置のベースバンドパラメータまたは前記ＴＲＰグループ内のネットワーク側装置のベースバンドパラメータを決定させる。
【０２０１】
具体的に、前記端末は、前記第３の同期信号に基づき、前記第２のネットワーク側装置のベースバンドパラメータを決定する。また、前記第３の同期信号及び前記ＴＲＰグループのシステム情報に基づき、前記第２のネットワーク側装置のベースバンドパラメータを決定する。また、前記ＴＲＰグループのシステム情報に基づき、前記ＴＲＰグループ内のネットワーク側装置のベースバンドパラメータを決定する。この時決定されたネットワーク側装置のベースバンドパラメータは、第２のネットワーク側装置のベースバンドパラメータを含む。
【０２０２】
好ましくは、前記第１のネットワーク側装置及び前記第２のネットワーク側装置は、前記ＴＲＰグループ内の同様なネットワーク側装置または前記ＴＲＰグループ内の異なるネットワーク側装置である。および／または前記第１のネットワーク側装置及び前記第３のネットワーク側装置は、前記ＴＲＰグループ内の同様なネットワーク側装置または前記ＴＲＰグループ内の異なるネットワーク側装置である。
【０２０３】
好ましくは、前記第２のネットワーク側装置及び前記第３のネットワーク側装置は、前記ＴＲＰグループ内の同様なネットワーク側装置または前記ＴＲＰグループ内の異なるネットワーク側装置である。
【０２０４】
好ましくは、前記第１のネットワーク側装置は、前記ＴＲＰグループ内のＴＲＰまたは基地局である。前記第１のネットワーク側装置が複数のビームをサポートする場合、前記第１のネットワークは、サポートする一部または全部のビームにおいて、前記初期同期信号を送信する。
【０２０５】
好ましくは、前記第２のネットワーク側装置は、前記ＴＲＰグループ内のＴＲＰまたは基地局である。前記第２のネットワーク側装置が複数のビームをサポートする場合、前記第２のネットワークは、サポートする一部または全部のビームにおいて、前記第３の同期信号を送信する。
【０２０６】
好ましくは、前記第３のネットワーク側装置は、前記ＴＲＰグループ内のＴＲＰまたは基地局である。前記第３のネットワーク側装置が複数のビームをサポートする場合、前記第３のネットワークは、サポートする一部または全部のビームにおいて、前記ＴＲＰグループのシステム情報を送信する。
【０２０７】
上記いずれの実施例に基づき、前記第２のネットワーク側装置が前記ＴＲＰグループにおいて第３の同期信号を送信するのは、以下のいくつかの可能の方式を含む。
【０２０８】
１、前記第２のネットワーク側装置は、前記ＴＲＰグループのシステム帯域幅に対応する前記第２のネットワーク側装置の動作帯域幅において、前記第３の同期信号を送信する。
【０２０９】
当該方式では、前記第２のネットワーク側装置は、当該動作帯域幅上の特定リソースにおいて、例えば、端末とネットワーク側により約定されたリソースにおいて、前記第３の同期信号を送信する。当該動作帯域幅上のいずれのリソースにおいて前記第３の同期信号を送信する。このとき、端末は、前記第３の同期信号を送信するリソースの位置を知らないため、ブラインド検出を行う。
【０２１０】
２、前記第２のネットワーク側装置は、事前に約定した前記第３の同期信号の伝送リソースにおいて、前記第３の同期信号を送信する。
【０２１１】
３、前記第２のネットワーク側装置は、前記ＴＲＰグループのシステム情報により示される前記第３の同期信号の伝送リソースにおいて、前記第３の同期信号を送信する。
【０２１２】
上記いずれの実施例に基づき、前記第２のネットワーク側装置は、前記ＴＲＰグループにおいて第３の同期信号を送信するのは、以下のいくつかの可能の方式を含む。
【０２１３】
１、前記第２のネットワーク側装置は、周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信する。
【０２１４】
当該方式では、前記第２のネットワーク側装置により決定されたベースバンドパラメータは、前記第２のネットワーク側装置がその後のデータ伝送に用いられるベースバンドパラメータである。
【０２１５】
２、前記第２のネットワーク側装置は、事前に約定したまたは前記ＴＲＰグループのシステム情報により示される第３の同期信号シーケンスとベースバンドパラメータとの対応関係に基づき、前記第２のネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記第２のネットワーク側装置のベースバンドパラメータに基づき、前記第２のネットワーク側装置のベースバンドパラメータに対応する前記第３の同期信号シーケンスを送信する。
【０２１６】
３、前記第２のネットワーク側装置は、事前に約定したまたは前記ＴＲＰグループのシステム情報により示される第３の同期信号シーケンスとネットワーク側装置との対応関係に基づき、前記第２のネットワーク側装置に対応する前記第３の同期信号シーケンスを決定し、前記第２のネットワーク側装置のベースバンドパラメータに基づき、前記第２のネットワーク側装置に対応する前記第３の同期信号シーケンスを送信する。
【０２１７】
当該方式では、１つまたは複数の第３の同期信号シーケンスは、１つのネットワーク側装置に対応する。当該対応関係は既知であり、端末が多様なベースバンドパラメータをブラインド検出して、１種のベースバンドパラメータ場合の１つの第３の同期信号シーケンスを取得した場合、当該第３の同期信号シーケンスに対応するネットワーク側装置を知ることができ、当該ネットワーク側装置が検出した第３の同期信号シーケンスに対応するベースバンドパラメータで、前記第３の同期信号を送信することができる。
【０２１８】
可能な実施形態においては、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれる。こうして、端末は、受信したシステム情報に基づき、前記ＴＲＰグループ内の各ネットワーク側装置のベースバンドパラメータを決定する。
【０２１９】
可能な実施形態においては、前記ＴＲＰグループのシステム情報は、第３の同期信号シーケンスとベースバンドパラメータとの対応関係を示す。こうして、端末は、前記ＴＲＰグループのシステム情報により示す対応関係に基づき、各第３の同期信号シーケンスのベースバンドパラメータを決定し、決定されたベースバンドパラメータで前記第３の同期信号をブラインド検出する。
【０２２０】
可能な実施形態においては、前記ＴＲＰグループのシステム情報はベースバンドパラメータを示す。こうして、端末は、前記ＴＲＰグループのシステム情報に示されるベースバンドパラメータで前記第３の同期信号を検出する。
【０２２１】
可能な実施形態においては、前記ＴＲＰグループのシステム情報は、前記第３の同期信号の伝送リソースを示す。こうして、端末は、前記ＴＲＰグループのシステム情報により示される伝送リソースにおいて、前記第３の同期信号を検出する。
【０２２２】
可能な実施形態においては、前記方法では、前記第２のネットワーク側装置は、事前に約定したベースバンドパラメータまたは前記ＴＲＰグループのシステム情報により示されるベースバンドパラメータまたは前記第２のネットワーク側装置の１種のデフォルトのベースバンドパラメータに基づき、前記第２のネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれる。
【０２２３】
上記いずれの実施例に基づき、可能な実施形態においては、前記方法では、前記第２のネットワーク側装置または前記第３のネットワーク側装置は、前記端末によって報告された複数の第３の同期信号シーケンスを受信し、前記複数の第３の同期信号シーケンスから、１つまたは複数の第３の同期信号シーケンスを選択し、選択した第３の同期信号シーケンスを前記端末に通知する。
【０２２４】
上記いずれの実施例に基づき、可能な実施形態においては、前記方法では、
前記第２のネットワーク側装置は、自分の動作帯域幅において、自分のベースバンドパラメータに基づき、その後のデータ伝送を行う。
【０２２５】
具体的に、ＴＲＰグループ内の各ネットワーク側装置は１つのＴＲＰである場合、当該ＴＲＰは、１つまたは複数のサブバンドにおいて動作され、１つまたは複数のビームを含む。
【０２２６】
ここで、その後の伝送、即ち、端末は、当該ネットワーク側装置にアクセスした後、続いて端末はデータを送信する。例えば、ダウンリンク共有物理チャネル（Ｐｈｙｓｉｃａｌ Ｄｏｗｎｌｉｎｋ Ｓｈａｒｅｄ Ｃｈａｎｎｅｌ，  ＰＤＳＣＨ）、物理ダウンリンク制御チャネル（Ｐｈｙｓｉｃａｌ Ｄｏｗｎｌｉｎｋ Ｃｏｎｔｒｏｌ Ｃｈａｎｎｅｌ，  ＰＤＣＣＨ）、物理アップリンク共有チャネル（Ｐｈｙｓｉｃａｌ Ｕｐｌｉｎｋ Ｓｈａｒｅｄ Ｃｈａｎｎｅｌ，  ＰＵＳＣＨ）、物理アップリンク制御チャネル（Ｐｈｙｓｉｃａｌ Ｕｐｌｉｎｋ Ｃｏｎｔｒｏｌ Ｃｈａｎｎｅｌ，  ＰＵＣＣＨ）、ＳＲＳ（Ｓｏｕｎｄｉｎｇ Ｒｅｆｅｒｅｎｃｅ Ｓｉｇｎａｌ）など。
【０２２７】
本発明の実施例に係る他のベースバンドパラメータを決定する方法を、３つの特定の実施例に関連して以下に詳細に説明する。説明の便宜上、以下の実施例では、前記第１の同期信号を同期信号１とし、前記第２の同期信号を同期信号２とし、前記第３の同期信号を同期信号３とし、前記第３の同期信号シーケンスを同期信号３のシーケンスとする。
【０２２８】
実施例１：本実施例の応用シナリオは、図３に示すように、各システム情報領域（Ｓｙｓｔｅｍ Ｉｎｆｏｒｍａｔｉｏｎ Ａｒｅａ，  ＳＩＡ）は１つのＴＲＰ ｇｒｏｕｐに対応する。各ＴＲＰ ｇｒｏｕｐに１つのみのＴＲＰが含まれ、各ＴＲＰそれぞれは、同期信号及びシステム情報を送信する。端末は、いずれのＴＲＰにアクセスまたは常駐する場合、まず、同期信号１及び同期信号２（同期信号１及び２は、システム帯域幅の固定位置に約定することができ、例えば、システム帯域幅の中間位置に約定され、こうして、システム帯域幅を取得した後、同期信号１及び２の周波数領域位置に基づき、システム帯域幅の周波数領域位置を決定し、勿論、同期信号１及び２の時間領域上の伝送位置をさらに約定し、こうして、当該同期信号１及び２をブラインド検出した後、無線フレーム/サブフレーム/シンボルボーダーのような時間領域ボーダーの推測に便利である）を検出し、デフォルトで１種のベースバンドパラメータに基づいて検出する。例えば、デフォルトのベースバンドパラメータが１５ｋＨｚサブキャリア間隔及び当該サブキャリア間隔の場合に定義されたＯＦＤＭシンボル、ＣＰ、サブフレーム（またはｍｉｎ−ｆｒａｍｅ）などの長さであり、通信システムによりサポートされた多様なベースバンドパラメータに基づいてブラインド検出することもできる。例えば、通信システムによりサポートされた多様なベースバンドパラメータに基づいてブラインド検出することもできる。まず、１５ｋＨｚサブキャリア間隔及び当該サブキャリア間隔に対応するパラメータで同期信号１及び２を検出し、６０ｋＨｚサブキャリア間隔及び当該サブキャリア間隔に対応するパラメータで同期信号１及び２を検出する。より多くのベースバンドパラメータが定義された場合、このように類推する。検出強度が最大の１つのベースバンドパラメータ場合の同期信号１及び同期信号２を選出して、アクセスポイントとし、こうして、当該同期信号１及び２に対応するＴＲＰと初期同期し、そして、当該ＴＲＰの場合のシステム情報を読み出す。
【０２２９】
また、端末は、前記システム情報により当該ＴＲＰのシステム帯域幅を取得する。勿論、前記システム情報は、システム帯域幅のサブバンド設定情報をさらに含むことができる。例えば、図４Ａ及び図４Ｂに示すように、システム帯域幅１００Ｍであり、ＴＲＰにおいて、１００Ｍのシステム帯域幅を２つのサブバンドに分割し、異なるサブバンドにおいて異なるベースバンドパラメータを用いる。勿論、サブバンドの分割は、システム帯域幅のサイズ及び所定の規則で分割することもできる。勿論、前記システム情報は、同期信号３とサブバンドまたはＴＲＰまたはビームとの対応関係を通知することもでき、または対応関係は、事前に約定したものである。例えば、同期信号３の伝送リソースを検出したサブバンドは、同期信号３に対応するサブバンドであり、同期信号３のシーケンスはＴＲＰ ＩＤおよび／またはビーム ＩＤと関連するなどが含まれる。例えば、同期信号３のシーケンスがＴＲＰ ＩＤおよび／またはビーム ＩＤに基づいて生成された場合、前記端末は、検出した同期信号３のシーケンスに基づき、対応のＴＲＰ ＩＤおよび／またはビーム ＩＤを推測でき、同様に、前記端末は、ＴＲＰ ＩＤおよび／またはビーム ＩＤに基づき対応の同期信号３のシーケンスを推測する。別の例では、同期信号３のシーケンスとＴＲＰ ＩＤおよび／またはビーム ＩＤとの間の対応関係または関数関係を事前に約定する。例を挙げて、同期信号３のシーケンスとＴＲＰ ＩＤおよび／またはビーム ＩＤとの間の対応関係または関数関係を説明する。例えば、各同期信号３のシーケンスの生成は、ＴＲＰ ＩＤと関連し、同期信号３のシーケンス=ｆ（ＴＲＰ ＩＤ）またはｆ（ＴＲＰ ｇｒｏｕｐ ＩＤ，ＴＲＰ ＩＤ）など。または同期信号３のシーケンスの番号=ｆ（ＴＲＰ ＩＤ）またはｆ（ＴＲＰ ｇｒｏｕｐ ＩＤ，ＴＲＰ ＩＤ）など。別の例では、同期信号３のシーケンスの番号は (ＴＲＰ ｇｒｏｕｐ ＩＤ * Ｗ + ＴＲＰ ＩＤ)であり、Ｗは所定の整数である。
【０２３０】
具体的に以下の方法を含む。
【０２３１】
方法１：前記システム情報は、同期信号３を検出するための伝送リソースを少なくとも示す。例えば、システム帯域幅の各サブバンドにおいて、１つの同期信号３の伝送リソースを示す。または、サブバンドに分割していない場合、システム帯域幅に対応する周波数領域位置（例えば、リソースブロック（Ｒｅｓｏｕｒｃｅ Ｂｌｏｃｋ，  ＲＢ）ｘ〜ｙ）を示して、同期信号３の伝送リソースとする。
【０２３２】
当該方法では、端末は、これらの同期信号３の伝送リソースにおいて、１種のデフォルトのベースバンドパラメータまたは前記システム情報により示される一種の同期信号３の伝送に用いられるベースバンドパラメータに基づき、同期信号３を検出し、図４Ｂに示す。事前に約定するか、または前記システム情報は、異なる同期信号３のシーケンスと対応のサブバンドまたはＴＲＰまたはビームに用いられる異なるベースバンドパラメータとの間の対応関係を示す。端末は、各伝送リソースにおいて検出した同期信号３のシーケンス及び上記対応関係に基づき、同期信号３に対応するサブバンド、ＴＲＰおよび／またはビームに対応するベースバンドパラメータを決定する。または、端末は、複数の伝送リソースにおいて検出エネルギーまたは性能が最も優れた同期信号３のシーケンスを、検出した同期信号３のシーケンスとし、当該同期信号３のシーケンス及び上記対応関係に基づき、当該同期信号３に対応するサブバンド、ＴＰＲおよび／またはビームのベースバンドパラメータを決定する。
【０２３３】
方法２：前記システム情報は、同期信号３を検出するための伝送リソース（詳しくは方法１を参考）を少なくとも示す。
【０２３４】
当該方法では、端末は、これらの同期信号３の伝送リソースにおいて、所定の多様なベースバンドパラメータ、または前記システム情報により示される多様なベースバンドパラメータ、または通信システムによりサポートされるまたは定義された多様なベースバンドパラメータ、または事前約定または前記システム情報により示される異なる同期信号３のシーケンスとサブバンドまたはＴＲＰまたはビームに用いられる異なるベースバンドパラメータとの対応関係に基づいて決定された各同期信号３に対応するベースバンドパラメータに基づき、同期信号３をブラインド検出し、図４Ａに示すように、例えば、端末は、上記各伝送リソースにおいて、上記ベースバンドパラメータそれぞれを用いて、同期信号３を検出することを試す。多様なベースバンドパラメータ中の検出エネルギーが最大または性能が最高の同期信号３のシーケンスを、当該伝送リソースにおいて検出した同期信号３のシーケンスとする。端末は、当該検出された同期信号３のシーケンスに用いられるベースバンドパラメータを、当該同期信号３に対応するサブバンド、ＴＰＲおよび／またはビームに用いられるベースバンドパラメータとする。または、端末は、複数の伝送リソース上の検出エネルギーまたは性能が最高の同期信号３のシーケンスを、検出した同期信号３のシーケンスとし、当該同期信号３のシーケンスに用いられるベースバンドパラメータを、当該同期信号３に対応するサブバンド、ＴＲＰおよび／またはビームに用いられるベースバンドパラメータとする。
【０２３５】
方法３：前記システム情報は、当該ＴＲＰ ｇｒｏｕｐのベースバンドパラメータまたは当該ＴＲＰｇｒｏｕｐ内の同期信号３の伝送に用いられるベースバンドパラメータを少なくとも示す。
【０２３６】
具体的に、前記システム情報により示されるベースバンドパラメータが１つであれば、全てのサブバンドのベースバンドパラメータが同じであるとデフォルトし、同期信号３を検出するのは、端末アクセスのサブバンドまたはビームを決定するためだけである。前記システム情報により示されるベースバンドパラメータが多様であれば、異なるベースバンドパラメータをブラインド検出することが必要である。
【０２３７】
当該方法では、端末は、当該ＴＲＰ ｇｒｏｕｐのシステム帯域幅において、または所定の同期信号３の伝送リソースにおいて、（例えば、同期信号１および／または同期信号２と同じであるリソース位置、勿論、異なってもよい。例えば、同期信号１及び同期信号２がシステム帯域幅内のＲＢｘ１〜ｙ１を占有し、同期信号３がシステム帯域幅内のＲＢｘ２〜ｙ２を占有するなど、以下も同様）、上記ベースバンドパラメータに基づき、同期信号３をブラインド検出する。例えば、システム帯域幅においてスキャンするかまたは所定の複数のリソース位置にいて検出することにより、予め設定された閾値を満たす同期信号３を得る。または、システム帯域幅においてスキャンするかは所定の１つまたは複数のリソースにおいて検出することにより、最大エネルギーまたは最高性能の同期信号３のシーケンスを取得し、検出した同期信号３のシーケンスに用いられるベースバンドパラメータを、同期信号３に対応するサブバンド、ＴＲＰおよび／またはビームのベースバンドパラメータとする。
【０２３８】
方法４：前記システム情報は、当該ＴＲＰ ｇｒｏｕｐ内の同期信号３の伝送に用いられるベースバンドパラメータを少なくとも示す。
【０２３９】
具体的に、前記システム情報により示されるベースバンドパラメータが１つであれば、全てのサブバンドのベースバンドパラメータが同じであるとデフォルトし、同期信号３を検出するのは、端末アクセスのサブバンドまたはビームを決定するためだけである。前記システム情報により示されるベースバンドパラメータが多様であれば、異なるベースバンドパラメータをブラインド検出する必要がある。
【０２４０】
当該方法では、端末は、当該ＴＲＰ ｇｒｏｕｐのシステム帯域幅上または所定の同期信号３の伝送リソースにおいて、上記ベースバンドパラメータに基づき、同期信号３を検出する。事前に約定するかまたは前記システム情報により、異なる同期信号３のシーケンスとサブバンドまたはＴＰＲまたはビームに用いられる異なるベースバンドパラメータとの対応関係が示される。例えば、システム帯域幅においてスキャンするかは所定の複数のリソースにおいて検出することにより、複数の閾値を満たす複数の同期信号３のシーケンスを取得する。または、システム帯域幅においてスキャンするかは所定の１つまたは複数のリソースにおいて検出することにより、最大エネルギーまたは最高性能の同期信号３のシーケンスを取得し、端末は、検出した同期信号３のシーケンス及び上記対応関係に基づき、検出した同期信号３に対応するサブバンド、ＴＲＰおよび／またはビームのベースバンドパラメータを決定する。
【０２４１】
方法５：前記システム情報は、異なる同期信号３のシーケンスとサブバンドまたはＴＲＰまたはビームに用いられる異なるベースバンドパラメータとの対応関係を少なくとも示す。
【０２４２】
当該方法では、端末は、当該ＴＲＰ ｇｒｏｕｐのシステム帯域幅上または所定の同期信号３の伝送リソースにおいて、所定の１つまたは複数のベースバンドパラメータ、または前記システム情報により示される１つまたは複数のベースバンドパラメータ、または通信システムにより定義されたかまたはサポートされた多様なベースバンドパラメータ、または上記対応関係で決定された、異なる同期信号３のシーケンスを検出するためのベースバンドパラメータに基づき、同期信号３を検出するシーケンス。
【０２４３】
ここで、多様なベースバンドパラメータがあれば、端末は、核ベースバンドパラメータをブラインド検出する必要があり、例えば、システム帯域幅においてスキャンするかは所定の複数のリソースにおいて検出することにより、複数の閾値を満たす同期信号３のシーケンスを取得する。またはシステム帯域幅においてスキャンするかは所定の１つまたは複数のリソースにおいて検出することにより、最大エネルギーまたは最高性能の同期信号３のシーケンスを取得し、検出した同期信号３のシーケンス及び上記対応関係に基づき、当該同期信号３に対応するサブバンド、ＴＲＰおよび／またはビームのベースバンドパラメータを決定する。
【０２４４】
方法６：端末は、当該ＴＲＰ ｇｒｏｕｐのシステム帯域幅上または所定の同期信号３の伝送リソースにおいて、所定の１つまたは複数のベースバンドパラメータ、または通信システムにより定義されたかまたはサポートされた多様なベースバンドパラメータに基づき、同期信号３を検出する。
【０２４５】
ここで、多様なベースバンドパラメータがあれば、端末は、各ベースバンドパラメータをブラインド検出する。例えば、システム帯域幅においてスキャンするかは所定の複数のリソースにおいて検出することにより、複数の所定の閾値を満たす同期信号３を取得する。またはシステム帯域幅においてスキャンするかは所定の１つまたは複数のリソースにおいて検出することにより、最大エネルギーまたは最高性能の同期信号３を取得する。端末は、検出した同期信号３に用いられるベースバンドパラメータを、同期信号３に対応するサブバンド、ＴＲＰおよび／またはビームのベースバンドパラメータとする。
【０２４６】
方法７：異なる同期信号３のシーケンスとサブバンドまたはＴＲＰまたはビームに用いられる異なるベースバンドパラメータとの対応関係を事前に定義する。
【０２４７】
当該方法では、端末は、当該ＴＲＰ ｇｒｏｕｐのシステム帯域幅上または所定の同期信号３の伝送リソースにおいて、所定の１種のベースバンドパラメータまたは上記対応関係に基づいて決定された各同期信号３のシーケンスに対応するベースバンドパラメータに基づき、同期信号３シーケンスを検出する。例えば、システム帯域幅においてスキャンするかは所定の複数のリソースにおいて検出することにより、複数の所定の閾値を満たす同期信号３のシーケンスを取得する。またはシステム帯域幅においてスキャンするかは所定の１つまたは複数のリソースにおいて検出することにより、最大エネルギーまたは最高性能の同期信号３のシーケンスを取得し、端末は、検出した同期信号３のシーケンス及び上記対応関係に基づき、同期信号３に対応するサブバンド、ＴＲＰおよび／またはビームのベースバンドパラメータを決定する。
【０２４８】
上記方法１、４、５、７に対し、例えば、事前に約定するかまたは前記システム情報により、同期信号３のシーケンス０〜Ａに対応する第１のベースバンドパラメータが示される。同期信号３のシーケンスＡ+１〜Ｂは第２のベースバンドパラメータに対応し、このように類推する。事前に約定した対応関係であれば、通信システムにより定義されたベースバンドパラメータの種類に応じて、同様な数の対応関係を事前に約定する必要がある。前記システム情報により示される対応関係であれば、端末に、通信システムにより定義された全て種類のベースバンドパラメータと同期信号３との対応関係を通知してもよく、当該ＴＲＰグループにサポートされたベースバンドパラメータ（１つまたは多様である）と同期信号３との対応関係のみを通知してもよい。端末が伝送リソース１（サブバンド１に対応）において検出した同期信号３のシーケンスは、０〜Ａ間の１つのシーケンスであれば、サブバンド１のベースバンドパラメータが第１のベースバンドパラメータとして決定する。端末が伝送リソース２において（サブバンド２に対応）検出した同期信号３のシーケンスがＡ+１〜Ｂ間の１つのシーケンスであれば、サブバンド２のベースバンドパラメータが第２のベースバンドパラメータとして決定する。このとき、ＴＤＭが当該ＴＲＰのサブバンド１及びサブバンド２に動作されるが、または、端末も同時に動作する。端末が伝送リソース２において同期信号３のシーケンスエネルギーが最大であると検出すれば、サブバンド２のベースバンドパラメータが第２のベースバンドパラメータとして決定する。端末は、当該ＴＲＰのサブバンド２において動作する。
【０２４９】
ここで、方法４、５、７のブラインド検出回数は、方法１より大きい。即ち、システムにＮ個の同期信号３のシーケンスがあれば、方法１では、Ｎ回ブラインド検出を行い、方法４では、Ｎ*Ｍ回ブラインド検出を行い、Ｍは、ベースバンドパラメータの種類数である。方法５では、同期信号３の伝送リソースを別途にブラインド検出する。方法７では、ベースバンドパラメータのブラインド検出が要らないが、伝送リソースをブラインド検出する必要がある。方法４、５及び７のメリットは、同期信号３とベースバンドパラメータとの対応関係の約定または通知は要らないことにある。方法７は、前記システム情報に同期信号３の情報を設定する必要がない。
【０２５０】
方法２、３、６に対し、例えば、端末が伝送リソース１において同期信号３を検出するのに第１のベースバンドパラメータを用いる場合、サブバンド１で第１のベースバンドパラメータを用いると決定する。端末が伝送リソース２において同期信号３を検出するのに第２のベースバンドパラメータを用いる場合、サブバンド２で第２のベースバンドパラメータを用いると決定する。ＴＤＭが当該ＴＲＰのサブバンド１及びサブバンド２に動作されるが、または、端末も同時に動作する。または、端末が伝送リソース２において同期信号３のシーケンスエネルギーが最高であると検出すれば、端末は、サブバンド２のベースバンドパラメータを第２のベースバンドパラメータとして決定する。端末は、当該ＴＲＰのサブバンド２のみにおいて動作する。
【０２５１】
ここで、方法２、３、６のブラインド検出回数は、方法１より大きい。即ち、システムにＮ個の同期信号３のシーケンスがあれば、方法１では、Ｎ回ブラインド検出を行い、方法２、３、６では、Ｎ*Ｍ回ブラインド検出を行い、Ｍは、ベースバンドパラメータの種類数である。方法３、６では、同期信号３の伝送リソースを別途にブラインド検出するが、メリットは、同期信号３とベースバンドパラメータとの対応関係の約定または通知は要らないことにある。方法６は、前記システム情報に同期信号３の情報を設定する必要がない。
【０２５２】
上記方法３、４及び５に対し、同期信号３のシステム帯域幅上の具体的な位置を知らない場合、ブラインド検出により伝送リソースを決定する。各時間領域単位内でシステム帯域幅において同期信号３をスキャンするか、または、事前に約定した一部の時間領域単位内でシステム帯域幅において同期信号３をスキャンする。
【０２５３】
上記方法６及び７に対し、システム情報には同期信号３に関する情報は通知されないが、ブラインド検出は直接実行されるので、システム情報はシステム帯域幅、ＳＦＮ、および他のパラメータを取得するために受信されるだけである。これらのパラメータは、同期信号３の検出に要らない。よって、前記システム情報を受信する必要がなく、同期信号３を直ちに検出することができる。
【０２５４】
さらに、当該シナリオでは、ＴＲＰはＴＲＰグループであるので、当該ＴＲＰによってブロードキャストされるシステム情報は、システム帯域幅内のそれぞれのサブバンドまたは帯域幅部分（ｂａｎｄｗｉｄｔｈ ｐａｒｔ）またはビームにおいて用いられるベースバンドパラメータを含むことができ、したがって同期信号３の検出により、ベースバンドパラメータを取得する必要がない。
【０２５５】
実施例２：本実施例の応用シナリオは、図５に示すように、１つのＳＩＡが１つのＴＲＰ ｇｒｏｕｐに対応する。各ＴＲＰ ｇｒｏｕｐに複数のＴＲＰが含まれる。複数のＴＲＰの間に、同期してもよく、非同期してもよい。全部または一部のＴＲＰは、同様な初期同期信号及び前記システム情報を送信する。端末は、当該ＴＲＰ ｇｒｏｕｐにアクセスまたは常駐する場合、まず、同期信号１及び同期信号２を検出する。そのプロセスは実施例１と類似するため、これ以上説明しない。ＴＲＰ ｇｒｏｕｐと同期して、そして、当該ＴＲＰ ｇｒｏｕｐのシステム情報を読み出す。
【０２５６】
また、端末は、前記システム情報により、当該ＴＲＰ ｇｒｏｕｐのシステム帯域幅を取得する。勿論、システム帯域幅のサブバンド設定情報がさらに含まれることもできる。例えば、図６Ａ及び図６Ｂでは、システム帯域幅は、１００Ｍであり、１００Ｍのシステム帯域幅を３つのサブバンドに分割する。異なるサブバンドにおいて異なるベースバンドパラメータを用いる。勿論、サブバンドの分割は、システム帯域幅のサイズ及び所定の規則で分割することもできる。勿論、前記システム情報は、同期信号３とサブバンド/ＴＲＰ/ビームとの対応関係を示すことができる。または対応関係は、事前に約定したものである。例えば、同期信号３の伝送リソースを検出したサブバンドは、同期信号３に対応するサブバンドであり、同期信号３のシーケンスはＴＲＰ ＩＤおよび／またはビーム ＩＤと関連するなどが含まれる。具体的に、以下の３つの方法を含む。
【０２５７】
方法１〜７は、以下の相違点を除いて、実施例１と同じである。
【０２５８】
上記方法１、４、５、７に対し、例えば、事前に約定するかまたは前記システム情報は、同期信号３のシーケンス０〜Ａが第１のベースバンドパラメータに対応すること、同期信号３のシーケンスＡ+１〜Ｂが第２のベースバンドパラメータに対応すること、同期信号３のシーケンスＢ+１〜Ｃが第３のベースバンドパラメータに対応することを示し、このように類推する。事前に約定した対応関係の場合、通信システムで定義されているベースバンドパラメータの数と同じ数の対応関係を事前に約定する必要がある。前記システム情報により通知された対応関係の場合、端末に、通信システムで定義されている全ての種のベースバンドパラメータと、異なる同期信号３のシーケンスとの対応関係を通知するか、当該ＴＲＰグループによりサポートされるベースバンドパラメータ（１つ以上）と異なる同期信号３のシーケンスとの対応関係のみを通知する。
【０２５９】
例を挙げて説明する。伝送リソース１のみ（サブバンド１に対応する）において端末１によって検出された同期信号３のシーケンスが０〜Ａの間の１つのシーケンスＸ１であり、シーケンスＸ１がＴＲＰ１に対応する（対応関係が事前定義されるか、または関数関係に従って計算されると、端末１はＴＲＰ１に属し、サブバンド１内のＴＲＰ１のベースバンドパラメータを第１のベースバンドパラメータとして決定する。
【０２６０】
伝送リソース１のみにおいて端末２によって検出された同期信号３のシーケンスが０〜Ａの間の１つのシーケンスＸ２であり、伝送リソース２において（サブバンド２に対応）検出した同期信号３のシーケンスはＡ+１〜Ｂ間の１つのシーケンスＸ３であり、かつ、シーケンスＸ２及びＸ３がＴＲＰ２に対応すれば、端末２はＴＲＰ２に属し、ＴＲＰ２のサブバンド１におけるベースバンドパラメータを第１のベースバンドパラメータとして決定し、サブバンド２におけるベースバンドパラメータを第２のベースバンドパラメータとして決定する。このとき、端末２は、少なくともＴＲＰ２のサブバンド１とサブバンド２とにおいて、またはＴＤＭモードで、動作することができる。または、端末２が伝送リソース１と伝送リソースとにおいて検出されたエネルギーを比較する場合、伝送リソース２において検出された同期信号３シーケンスＸ３のエネルギーが最大であると決定し、上記定義によれば、端末２がＴＲＰ２に属すると決定することができ、ＴＲＰ２のサブバンド２におけるベースバンドパラメータを第２のベースバンドパラメータとして決定する。ただし、端末２は、ＴＲＰ２が別のサブバンド（例えば、サブバンド１）および１つまたは複数のベースバンドパラメータをさらに含むかどうかを決定することができないので、ＴＲＰ２のさらなる設定または指示を取得するまで、ＴＲＰ２にアクセスする最初、第２のベースバンドパラメータでサブバンド２において動作する。例えば、ＴＲＰ２により送信されたＴＲＰ専属システム情報または設定情報を受信し、端末に、ＴＲＰ２上の動作帯域幅及びベースバンドパラメータなどの情報を通知する。
【０２６１】
伝送リソース１のみにおいて端末３によって検出された同期信号３のシーケンスが０〜Ａ間の１つのシーケンスＸ４であり、伝送リソース２において検出した同期信号３のシーケンスはＡ+１〜Ｂ間の１つのシーケンスＸ５であり、伝送リソース３において（サブバンドに対応）検出した同期信号３のシーケンスはＢ+１〜Ｃ間の１つのシーケンスＸ６であり、かつ、シーケンスＸ４、Ｘ５及びＸ６がＴＲＰ３に対応すれば、端末３はＴＲＰ３に属する。ＴＲＰ３のサブバンド１におけるベースバンドパラメータは、第１のベースバンドパラメータであり、サブバンド２のおけるベースバンドパラメータは第２のベースバンドパラメータであり、サブバンド３におけるベースバンドパラメータは、第３のベースバンドパラメータである。このとき、端末は、少なくとも当該ＴＲＰ３のサブバンド１、サブバンド２及びサブバンド３において、またはＴＤＭモードで、動作することができる。または、端末３が伝送リソース１、２、３において検出されたエネルギーを比較する場合、伝送リソース３において検出した同期信号３のシーケンスＸ６のエネルギーが最大であると決定し、上記定義によれば、端末３もＴＲＰ３に属すると決定することができ、ＴＲＰ３のサブバンド３におけるベースバンドパラメータを第３のベースバンドパラメータとして決定する。ただし、端末３は、ＴＲＰ３が別のサブバンド（例えば、サブバンド１、２）及びベースバンドパラメータをさらに含むかどうかを決定することができないので、ＴＲＰ３のさらなる設定または指示を取得するまで、ＴＲＰ３にアクセスする最初、第３のベースバンドパラメータでサブバンド３において動作する。例えば、ＴＲＰ３により送信されたＴＲＰ専属システム情報または設定情報を受信し、端末に、ＴＲＰ３上の動作帯域幅及びベースバンドパラメータどの情報を通知する。
【０２６２】
方法２、３、６に対し、例を挙げて説明する。端末１が伝送リソース１のみにおいて、第１のベースバンドパラメータで同期信号３のシーケンスＸ１を検出し、かつ、シーケンスＸ１がＴＲＰ１に対応すれば、端末１がＴＲＰ１に属すると決定し、ＴＲＰ１のサブバンド１におけるベースバンドパラメータを第１のベースバンドパラメータとして決定する。
【０２６３】
端末２が伝送リソース１において第１のベースバンドパラメータで同期信号３のシーケンスＸ２を検出し、伝送リソース２において第２のベースバンドパラメータで同期信号３のシーケンスＸ３を検出し、かつシーケンスＸ２及びＸ３がＴＲＰ２に対応すれば、端末２がＴＲＰ２に属すると決定し、ＴＲＰ２のサブバンド１におけるベースバンドパラメータを第１のベースバンドパラメータとして決定し、サブバンド２におけるベースバンドパラメータを第２のベースバンドパラメータとして決定する。このとき、端末２は、少なくとも当該ＴＲＰ２のサブバンド１及びサブバンド２において、またはＴＤＭモードで、動作することができる。または、端末２が伝送リソース１及び伝送リソース２において検出されたエネルギーを比較する場合、伝送リソース２において検出した同期信号３のシーケンスＸ３のエネルギーが最大であると決定し、上記定義によれば、端末２がＴＲＰ２に属すると決定することができ、ＴＲＰ２のサブバンド２におけるベースバンドパラメータを第２のベースバンドパラメータとして決定する。ただし、端末２は、ＴＲＰ２が別のサブバンド（たとえば、サブバンド１）及びベースバンドパラメータをさらに含むかどうかを決定することができないので、ＴＲＰ２のさらなる設定または指示を取得するまで、ＴＲＰ２にアクセスする最初、第２のベースバンドパラメータでサブバンド２において動作する。 
【０２６４】
端末３が伝送リソース１において第１のベースバンドパラメータで同期信号３のシーケンスＸ４を検出し、伝送リソース２において第２のベースバンドパラメータで同期信号３のシーケンスＸ５を検出し、伝送リソース３において第２のベースバンドパラメータで同期信号３のシーケンスＸ６を検出し、かつシーケンスＸ４、Ｘ５及びＸ６がＴＲＰ３に対応すれば、端末３はＴＲＰ３に属し、ＴＲＰ３のサブバンド１におけるベースバンドパラメータを第１のベースバンドパラメータとして決定し、サブバンド２におけるベースバンドパラメータを第２のベースバンドパラメータとして決定し、サブバンド３のベースバンドパラメータを第３のベースバンドパラメータとして決定する。このとき、端末は、少なくとも当該ＴＲＰ３のサブバンド１、サブバンド２及びサブバンド３において、またはＴＤＭモードで、動作することができる。または、端末３は、伝送リソース１、２、３において検出されたエネルギーを比較する場合、伝送リソース３において検出した同期信号３のシーケンスＸ６のエネルギーが最大であると決定し、上記定義によれば、端末３もＴＲＰ３に属すると決定することができ、ＴＲＰ３のサブバンド３におけるベースバンドパラメータを第３のベースバンドパラメータとして決定する。ただし、端末３は、ＴＲＰ３が別のサブバンド（例えば、サブバンド１、２）及びベースバンドパラメータをさらに含むかどうかを決定することができないので、ＴＲＰ３のさらなる設定または指示を取得するまで、ＴＲＰ３にアクセスする最初、第３のベースバンドパラメータでサブバンド３において動作する。
【０２６５】
方法８：端末は、まず、同期信号３を検出した後、ＴＲＰ専属システム情報（ＴＲＰ ｓｐｅｃｉｆｉｃシステム情報）を受信し、ベースバンドパラメータを取得する。
【０２６６】
具体的に、端末は、ＴＲＰ ｇｒｏｕｐのシステム帯域幅上または所定の同期信号３の伝送リソース上または前記システム情報により示される同期信号３の伝送リソースにおいて、所定のベースバンドパラメータまたは前記システム情報により通知されたベースバンドパラメータまたは通信システムによりサポートされるベースバンドパラメータに基づき、同期信号３を検出する。こうして、当該同期信号３に対応するＴＲＰに常駐またはアクセスする。好ましくは、１種のデフォルトされたベースバンドパラメータのみを用いて同期信号３を検出する。
【０２６７】
また、所定の１種のベースバンドパラメータまたは前記システム情報により示される１種のベースバンドパラメータに基づき、当該ＴＲＰにより送信されたＴＲＰ専属システム情報を受信し、当該ＴＲＰ専属システム情報内の指示に基づき、当該ＴＲＰまたは当該ＴＲＰ内の各ビームまたは、異なる時間領域及び周波数領域リソースにおける当該ＴＲＰのベースバンドパラメータを決定する。
【０２６８】
例を挙げて説明する。端末１が最高検出エネルギー原理の下で伝送リソース１において同期信号３のシーケンスＸ１を検出し、シーケンスＸ１がＴＲＰ１に対応すれば、端末１はＴＲＰ１に属し、さらに、端末１は、当該ＴＲＰ１によって送信されたＴＲＰ専属システム情報を受信し、当該ＴＲＰ専属システム情報から当該ＴＲＰ１が動作するサブバンド及び各サブバンドのベースバンドパラメータを取得する。即ち、当該ＴＲＰ１は、サブバンド１のみにおいて動作し、第１のベースバンドパラメータを用いる。
【０２６９】
端末２が最高検出エネルギー原理の下で伝送リソース２において同期信号３のシーケンスＸ３を検出し、シーケンスＸ３がＴＲＰ２に対応すれば、端末２はＴＲＰ２に属し、さらに、端末２は、当該ＴＲＰ２によって送信されたＴＲＰ専属システム情報を受信する。当該ＴＲＰ専属システム情報から当該ＴＲＰ２が動作するサブバンド及び各サブバンドのベースバンドパラメータを取得する。即ち、当該ＴＲＰ２は、サブバンド１及びサブバンド２において動作し、サブバンド１において、第１のベースバンドパラメータを用い、サブバンド２において第２のベースバンドパラメータを用いる。
【０２７０】
端末３が最高検出エネルギー原理の下で伝送リソース３において同期信号３のシーケンスＸ６のみを検出し、かつシーケンスＸ６がＴＲＰ３に対応すれば、端末３はＴＲＰ３に属し、さらに、端末３は、ＴＲＰ３によって送信されたＴＲＰ専属システム情報を受信し、当該ＴＲＰ専属システム情報から当該ＴＲＰ３が動作するサブバンド及び各サブバンドのベースバンドパラメータを取得する。即ち、当該ＴＲＰ３は、サブバンド１、サブバンド２及びサブバンド３において動作し、サブバンド１において、第１のベースバンドパラメータを用い、サブバンド２において第２のベースバンドパラメータを用い、サブバンド３において第３のベースバンドパラメータを用いる。
【０２７１】
ＴＲＰまたはサブバンドは、単に例としてこの実施形態で説明されているように識別されるが、その説明はＴＲＰまたはサブバンドの代わりにビームにも同様に適用できることに注意されたい。ここで、繰り返して説明しない。
【０２７２】
さらに、本実施例では、ＴＲＰグループ内のすべてのＴＲＰが同期している場合、端末は、同期信号１および２の同期状態に直接基づいて、同期信号３を検出し、ＴＲＰ専属システム情報などを受信する。勿論、同期信号３を用いてさらに正確な同期調整を行うこともできる。ＴＲＰグループ内のＴＲＰが同期していない場合、端末によって検出された同期信号１および２は、検出された同期信号３が到来するＴＲＰと同期していないＴＲＰから到来する可能性がある。このとき、同期信号３を検出する際、タイミング関係をブラインド検出する必要がある。即ち、同期信号３を使用してダウンリンク内のいくつかのＴＲＰと同期させ、その後でＴＲＰにアクセスし、さらにデータを送信することができる。
【０２７３】
実施例３：本実施例のシナリオは、図７に示すように、１つのＳＩＡが１つのＴＲＰ ｇｒｏｕｐに対応する。各ＴＲＰ ｇｒｏｕｐに複数のＴＲＰが含まれる。複数のＴＲＰの間に、同期してもよく、非同期してもよい。一部のＴＲＰは高周波数帯域において動作し、一部のＴＲＰは、低周波数帯域において動作する。初期同期信号（同期信号１及び２）及び前記システム情報は、周波数帯域上の全部または一部のＴＲＰのみにおいて送信され、または、低周波数及び高周波数帯域上の全部または一部のＴＲＰにおいて送信される。送信に関わるＴＲＰにより送信された初期同期信号及び前記システム情報は同じであるか、または、ある周波数帯域上のＴＲＰによりブロードキャストされた前記システム情報は、当該周波数帯域上の関連情報のみを含むか、他の周波数帯域上の関連情報も含む。
【０２７４】
端末は、１つのＴＲＰ ｇｒｏｕｐにアクセスまたは常駐する場合、まず、同期信号１及び同期信号２を検出する。デフォルトされた１種のベースバンドパラメータに基づいて検出する。例えば、デフォルトのベースバンドパラメータが１５ｋＨｚサブキャリア間隔及び当該サブキャリア間隔の場合に定義されたＯＦＤＭシンボル、ＣＰ、サブフレーム（またはｍｉｎ−ｆｒａｍｅ）などの長さである。通信システムによりサポートされた多様なベースバンドパラメータに基づいてブラインド検出することもできる。例えば、通信システムによりサポートされた多様なベースバンドパラメータに基づいてブラインド検出することもできる。まず、１５ｋＨｚサブキャリア間隔及び当該サブキャリア間隔に対応するパラメータで同期信号１及び２を検出し、６０ｋＨｚサブキャリア間隔及び当該サブキャリア間隔に対応するパラメータで同期信号１及び２を検出する。より多くのベースバンドパラメータが定義された場合、このように類推する検出強度が最大の１つのベースバンドパラメータ場合の同期信号１及び同期信号２を選出して、アクセスポイントとし、こうして、当該同期信号１及び２に対応するＴＲＰと初期同期し、そして、当該ＴＲＰ ｇｒｏｕｐのシステム情報を読み出す。ここで、同期信号１及び２は、システム帯域幅の固定位置（例えば、システム帯域幅の中間）に約定することができる。こうして、システム帯域幅を取得した後、同期信号１及び２の周波数領域位置に基づき、システム帯域幅の周波数領域位置を決定する。勿論、同期信号１及び２の時間領域上の伝送位置をさらに約定し、こうして、当該同期信号をブラインド検出した後、無線フレーム/サブフレーム/シンボルボーダーのような時間領域ボーダーの推測に便利である。
【０２７５】
本実施例では、端末は、２つの周波数帯域において初期同期信号及び前記システム情報を検出する必要がある。
【０２７６】
例を挙げて説明する。例えば、端末は常に低周波数帯域において、初期同期信号をデフォルトで最初に検出することができ、初期同期信号が検出された場合、低周波数帯域と同期され、そして低周波数帯域において、ＴＲＰ ｇｒｏｕｐ内の前記システム情報を受信する。前記システム情報は、低周波数帯域の設定情報、例えば、同期信号３の検出に関する情報などのみを含むことができ、端末は、同実施例２の方法で、低周波数帯域において、所属のＴＲＰ及びそのベースバンドパラメータを決定し、または、前記システム情報は高周波数帯域の設定情報を含む。こうして、端末は実施例２の方法で低周波数及び高周波数帯域において、所属のＴＲＰ及びベースバンドパラメータを決定することができる。端末が低周波数帯域で初期同期信号を検出しない場合、端末は高周波数帯域で初期同期信号を検出し、高周波数帯域と同期され、その後に高周波数帯域においてＴＲＰ ｇｒｏｕｐ内の前記システム情報を受信する。前記システム情報は、高周波数帯域の設定情報、例えば、同期信号３の検出と関連する情報などのみを含むことができる。端末は、同実施例２の方法で、高周波数帯域において、所属のＴＲＰ及びベースバンドパラメータを決定する。または、前記システム情報は、低周波数帯域の設定情報をさらに含む。こうして、端末は実施例２の方法で低周波数及び高周波数帯域において、所属のＴＲＰ及びベースバンドパラメータを決定することができる。
【０２７７】
別の例では、低周波数帯域および高周波数帯域の初期同期信号を検出し、信号が最大の周波数帯域を選択して同期させ、そして、当該周波数帯域においてＴＲＰ ｇｒｏｕｐ内の前記システム情報を受信する。前記システム情報には、ある周波数帯域の設定情報、例えば、同期信号３の検出に関連情報などのみが含まれる。端末は実施例２の方法で、当該周波数帯域において、所属のＴＲＰ及びベースバンドパラメータを決定する。あるいは、前記システム情報は、低周波数帯域の構成情報と高周波数帯域の設定情報の両方を含むことができ、こうして、端末は実施例２の方法で、低周波数及び高周波数帯域において、所属のＴＲＰ及びベースバンドパラメータを決定することができる。
【０２７８】
さらに別の例では、ある周波数帯域のみをサポートする端末の場合、端末はサポートされる当該周波数帯域内でのみ初期同期信号を検出し、ダウンリンク内で同期され、次いで、当該周波数帯域内で送信されたシステム情報を受信することができる。端末は、実施例２で説明したように、端末を含むＴＲＰと、その周波数帯におけるベースバンドパラメータを決定することができる。
【０２７９】
上記方法の処理フローは、ソフトウェアプログラムで実行することができ、そのソフトウェアプログラムは記憶媒体に格納することができ、格納されたソフトウェアプログラムが呼び出されると、それは上記方法のステップを実行することができる。
【０２８０】
同様な発明思想に基づき、本発明に係る実施例は、端末をさらに提供し、当該端末の課題解決原理は、図２Ａに示す方法の実施例と類似するため、当該端末の実施は方法の実施を参考することができ、繰り返して説明しない。
【０２８１】
図８に示す実施例に係る端末は、
検出した初期同期信号に基づき、前記端末の所属の伝送受信ポイント（ＴＲＰ）グループを決定するＴＲＰグループ決定モジュール８１と、
前記ＴＲＰグループ内の検出した第３の同期信号および／または前記ＴＲＰグループのシステム情報に基づき、ベースバンドパラメータを決定するベースバンドパラメータ決定モジュール８２とを備える。
【０２８２】
前記初期同期信号には、第１の同期信号および／または第２の同期信号が含まれる。
【０２８３】
可能な実施形態においては、前記ベースバンドパラメータ決定モジュール８２は、
前記ＴＲＰグループのシステム帯域幅において、前記第３の同期信号を検出し、または、
事前に約定した第３の同期信号の伝送リソースにおいて、前記第３の同期信号を検出し、または、
【０２８４】
前記ＴＲＰグループのシステム情報により示される第３の同期信号の伝送リソースにおいて、前記第３の同期信号を検出する。
【０２８５】
可能な実施形態においては、前記ベースバンドパラメータ決定モジュールは、
所定のベースバンドパラメータに基づき、前記第３の同期信号を検出し、または、
周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
通信システムによりサポートされたベースバンドパラメータに基づき、前記第３の同期信号を検出し、または、
前記ＴＲＰグループのシステム情報により示されるベースバンドパラメータに基づき、前記第３の同期信号を検出し、または、
事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出する。
【０２８６】
可能な実施形態においては、前記ベースバンドパラメータ決定モジュール８２は、
検出した前記第３の同期信号の伝送に用いられるベースバンドパラメータを、前記第３の同期信号に対応するサブバンド、ＴＲＰおよび／またはビームに用いられるベースバンドパラメータとして決定し、または、
事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれる。
【０２８７】
可能な実施形態においては、検出した第３の同期信号シーケンスの数が少なくとも２つであれば、前記ベースバンドパラメータ決定モジュール８２は、
第３の同期信号シーケンスそれぞれに対応するサブバンド、ＴＲＰおよび／またはビームに用いられるベースバンドパラメータを決定し、または、
前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定する。
【０２８８】
可能な実施形態においては、前記ベースバンドパラメータ決定モジュール８２は、
前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記少なくとも２つの第３の同期信号シーケンスを、ネットワーク側に報告し、ネットワーク側によって通知された少なくとも１つの第３の同期信号シーケンスを受信する。
【０２８９】
可能な実施形態においては、前記ベースバンドパラメータ決定モジュール８２は、
前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれる。
【０２９０】
可能な実施形態においては、前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウである。
【０２９１】
また、前記伝送リソースが前記第３の同期信号の伝送に占有された時間領域リソースおよび／または周波数領域リソースであれば、前記ベースバンドパラメータ決定モジュールは、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記ベースバンドパラメータ決定モジュールは、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得する。
【０２９２】
本発明に係る実施例では、前記第３の同期信号とサブバンドまたはＴＲＰまたはビームとの対応関係は、事前に約定した方式で決定されるか、または、前記ＴＲＰグループのシステム情報により通知される。
【０２９３】
上記いずれの実施例に基づき、前記端末は、
前記ＴＲＰグループ内のＴＲＰまたはサブバンドまたはビームにおいて、前記ベースバンドパラメータ決定モジュールにより決定されたベースバンドパラメータに基づき、その後の伝送を行う伝送モジュール８３をさらに備える。
【０２９４】
図９に示す実施例に係る端末は、送受信機９１と、送受信機９１に接続する少なくとも１つのプロセッサ９２とを備える。
【０２９５】
前記プロセッサ９２は、メモリ９３に格納されたプログラムを読み出し、
検出した初期同期信号に基づき、前記端末の所属の伝送受信ポイント（ＴＲＰ）グループを決定し、前記初期同期信号には、第１の同期信号および／または第２の同期信号が含まれ、前記ＴＲＰグループ内の検出した第３の同期信号および／または前記ＴＲＰグループのシステム情報に基づき、ベースバンドパラメータを決定する。
【０２９６】
前記送受信機９１は、プロセッサ９２の制御によりデータを送受信する。
【０２９７】
図９において、バスアーキテクチャは、任意の数の相互接続するバス及びブリッジを備える。具体的に、プロセッサ９２が代表となる１つまたは複数のプロセッサ及びメモリ９３が代表となるメモリの多様な回路により接続される。バスアーキテクチャは、外部設備、電圧レギュレータ及び電力管理回路等の他の回路を接続することもできる。これらは、当該分野の周知技術であるため、本発明において、詳細に説明しない。バスインターフェースはインターフェースを提供する。送受信機９１は、１つまたは複数の部品であることができ、即ち、複数の送信機及び受信機を備え、伝送媒体を介して他の装置と通信するユニットを提供する。異なるユーザ設備に対し、ユーザーインターフェース。９４は、外部接続または内部接続に必要な設備のインターフェースであることもできる。接続する設備は、キーパッド、ディスプレー、スピーカー、マイクロホン、ジョイスティック等を備えるが、これに限られない。プロセッサ９２は、バスアーキテクチャ及び通常の処理を管理し、タイミング、外部インターフェース、電圧調整、電源管理及び他の制御機能など様々な機能を提供する。メモリ９３は、プロセッサ５００が動作する際に利用するデータを記憶することができる。
【０２９８】
好ましくは、プロセッサ９２は、ＣＰＵ、ＡＳＩＣ（Ａｐｐｌｉｃａｔｉｏｎ Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ，  ＣＰＬＤ）とすることができる。
【０２９９】
本実施例では、プロセッサ９２は、メモリ９３に格納されたプログラムを読み出し、図２Ａに示す実施例内の方法を実行する。具体的には、図２Ａに示す実施例の記載を参考されたく、ここで、繰り返して説明しない。
【０３００】
同様な発明思想に基づき、本発明に係る実施例はネットワーク側装置をさらに提供する。当該装置の課題解決原理は、図２Ｂに示す方法実施例と類似するため、当該装置の実施は方法の実施を参考することができ、繰り返して説明しない。
【０３０１】
図１０に示す実施例に係るネットワーク側装置，前記ネットワーク側装置は、伝送受信ポイント（ＴＲＰ）グループに所属し、
前記ＴＲＰグループにおいて初期同期信号を送信することにより、端末に、前記初期同期信号に基づいて前記端末の所属のＴＲＰグループを決定させ、前記初期同期信号には、第１の同期信号および／または第２の同期信号が含まれ、および／または
前記ＴＲＰグループにおいて、第３の同期信号および／または前記ＴＲＰグループのシステム情報を送信することにより、前記端末に、前記第３の同期信号および／または前記ＴＲＰグループのシステム情報に基づき、前記ネットワーク側装置のベースバンドパラメータまたは前記ＴＲＰグループ内のネットワーク側装置のベースバンドパラメータを決定させる送信モジュール１０１を備える。
【０３０２】
可能な実施形態においては、前記送信モジュール１０１は、
前記ＴＲＰグループのシステム帯域幅に対応する前記ネットワーク側装置の動作帯域幅において、前記第３の同期信号を送信し、または、
事前に約定した前記第３の同期信号の伝送リソースにおいて、前記第３の同期信号を送信し、または、
前記ＴＲＰグループのシステム情報により示される前記第３の同期信号の伝送リソースにおいて、前記第３の同期信号を送信する。
【０３０３】
可能な実施形態においては、前記送信モジュール１０１は、
周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
事前に約定したまたは前記ＴＲＰグループのシステム情報により示される第３の同期信号シーケンスとベースバンドパラメータとの対応関係に基づき、前記ネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記ネットワーク側装置のベースバンドパラメータに基づき、前記ネットワーク側装置のベースバンドパラメータに対応する前記第３の同期信号シーケンスを送信し、または、
事前に約定したまたは前記ＴＲＰグループのシステム情報により示される第３の同期信号シーケンスとネットワーク側装置との対応関係に基づき、前記ネットワーク側装置に対応する前記第３の同期信号シーケンスを決定し、前記ネットワーク側装置のベースバンドパラメータに基づき、前記ネットワーク側装置に対応する前記第３の同期信号シーケンスを送信する。
【０３０４】
可能な実施形態においては、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれる。
【０３０５】
可能な実施形態においては、前記ＴＲＰグループのシステム情報により示される第３の同期信号シーケンスとベースバンドパラメータとの対応関係、または、
前記ＴＲＰグループのシステム情報はベースバンドパラメータを示す。
【０３０６】
可能な実施形態においては、前記ＴＲＰグループのシステム情報は、前記第３の同期信号の伝送リソースを示す。
【０３０７】
可能な実施形態においては、前記送信モジュール１０１は、
事前に約定したベースバンドパラメータまたは前記ＴＲＰグループのシステム情報により示されるベースバンドパラメータまたは前記ネットワーク側装置の１種のデフォルトのベースバンドパラメータに基づき、前記ネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれる。
【０３０８】
上記いずれの実施例に基づき、前記装置は、前記端末により報告された複数の第３の同期信号シーケンスを受信して、１つまたは複数の第３の同期信号シーケンスを選択する受信モジュール１０２をさらに備える。
【０３０９】
前記送信モジュール１０１は、前記受信モジュールにより選択された第３の同期信号シーケンスを前記端末に通知する。
【０３１０】
上記いずれの実施例に基づき、前記装置は、前記ネットワーク側装置の動作帯域幅において、前記ネットワーク側装置のベースバンドパラメータに基づき、その後のデータ伝送を行うデータ伝送モジュール１０３をさらに備える。
【０３１１】
上記いずれの実施例に基づき、前記ネットワーク側装置は、前記ＴＲＰグループ内のＴＲＰまたは基地局である。
【０３１２】
図１１に示す実施例に係るネットワーク側装置は、送受信機１１１と、送受信機１１１に接続する少なくとも１つのプロセッサ１１２とを備える。
【０３１３】
前記プロセッサ１１２は、メモリ１１３に格納されたプログラムを読み出し、
前記ＴＲＰグループにおいて初期同期信号を送信することにより、端末に、前記初期同期信号に基づき前記端末の所属のＴＲＰグループを決定させるように、送受信機１１１を制御し、前記初期同期信号には、第１の同期信号および／または第２の同期信号が含まれ、および／または
前記ＴＲＰグループにおいて、第３の同期信号および／または前記ＴＲＰグループのシステム情報を送信することにより、前記端末に、前記第３の同期信号および／または前記ＴＲＰグループのシステム情報に基づき、前記ネットワーク側装置のベースバンドパラメータまたは前記ＴＲＰグループ内のネットワーク側装置のベースバンドパラメータを決定させるように、送受信機１１１を制御する。
【０３１４】
前記送受信機１１１は、プロセッサ１１２の制御によりデータを送受信する。
【０３１５】
ここで、図１１において、バスアーキテクチャは、任意の数の相互接続するバス及びブリッジを備える。具体的に、プロセッサ１１２が代表となる１つまたは複数のプロセッサ及びメモリ１１３が代表となるメモリの多様な回路により接続される。バスアーキテクチャは、外部設備、電圧レギュレータ及び電力管理回路等の他の回路を接続することもできる。これらは、当該分野の周知技術であるため、本発明において、詳細に説明しない。バスインターフェースはインターフェースを提供する。送受信機１１１は、複数の部品であることができ、すなわち、送信機及び送受信機を備え、伝送媒体において、他の装置と通信するユニットを提供する。プロセッサ１１２は、バスアーキテクチャ及び通常の処理を管理し、タイミング、外部インターフェース、電圧調整、電源管理及び他の制御機能など様々な機能を提供する。メモリ１１３は、プロセッサ１１２が動作する際に利用するデータを記憶することができる。
【０３１６】
好ましくは、プロセッサ１１２は、ＣＰＵ、ＡＳＩＣ、ＦＰＧＡまたはＣＰＬＤとすることができる。
【０３１７】
本実施例では、プロセッサ１１２は、メモリ１１３に格納されたプログラムを読み出し、具体的に図２Ａに示す実施例内の方法を実行し、図２Ｂに示す実施例の記載を参考されたく、ここで、繰り返して説明しない。
【０３１８】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることが分かるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０３１９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。  
【０３２０】
これらのコンピュータプログラム指令は又、コンピュータまたは他のプログラム可能なデータ処理装置を特定形態で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０３２１】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０３２２】
上述した実施形態に記述された技術的な解決手段を改造し、またはその中の一部の技術要素を置換することもできる。そのような、改造と置換は本発明の各実施形態の技術の範囲から逸脱するとは見なされない。
【０３２３】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【０３２４】
本出願は、２０１６年８月１２日に中国特許局に提出し、出願番号が２０１６１０６６５８２８.８であり、発明名称が「ベースバンドパラメータを決定する方法及び装置」との中国特許出願を基礎とする優先権を主張し、その開示の総てをここに取り込む。
【符号の説明】
【０３２５】
81  ＴＲＰグループ決定モジュール
82  ベースバンドパラメータ決定モジュール
83  伝送モジュール
91  送受信機
92  プロセッサ
93  メモリ
94  ユーザーインターフェース
101  送信モジュール
102  受信モジュール
103  データ伝送モジュール
111  送受信機
112  プロセッサ
113  メモリ
【図１Ａ】
2019526967.tif 000015
【図１Ｂ】
2019526967.tif 000016
【図２Ａ】
2019526967.tif 000017
【図２Ｂ】
2019526967.tif 000018
【図３】
2019526967.tif 000019
【図４Ａ】
2019526967.tif 000020
【図４Ｂ】
2019526967.tif 000021
【図５】
2019526967.tif 000022
【図６Ａ】
2019526967.tif 000023
【図６Ｂ】
2019526967.tif 000024
【図７】
2019526967.tif 000025
【図８】
2019526967.tif 000026
【図９】
2019526967.tif 000027
【図１０】
2019526967.tif 000028
【図１１】
2019526967.tif 000029
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
端末は、検出した初期同期信号に基づき、前記端末の所属の伝送受信ポイント（ＴＲＰ）グループを決定するステップと、
前記端末は、前記ＴＲＰグループ内の検出した第３の同期信号および／または前記ＴＲＰグループのシステム情報に基づき、ベースバンドパラメータを決定するステップとを備え、
前記初期同期信号には、第１の同期信号および／または第２の同期信号が含まれることを特徴とするベースバンドパラメータを決定する方法。
【請求項２】
前記端末が、前記ＴＲＰグループ内の検出した第３の同期信号および／または前記ＴＲＰグループのシステム情報に基づき、ベースバンドパラメータを決定する前、
前記端末は、前記ＴＲＰグループのシステム帯域幅において、前記第３の同期信号を検出し、または、
前記端末は、事前に約定した第３の同期信号の伝送リソースにおいて、前記第３の同期信号を検出し、または、
前記端末は、前記ＴＲＰグループのシステム情報により示される第３の同期信号の伝送リソースにおいて、前記第３の同期信号を検出し、
および/または、
前記端末は、前記ＴＲＰグループ内の検出した第３の同期信号または前記ＴＲＰグループのシステム情報に基づき、ベースバンドパラメータを決定する前、
前記端末は、所定のベースバンドパラメータに基づき、前記第３の同期信号を検出し、または、
前記端末は、周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
前記端末は、通信システムによりサポートされたベースバンドパラメータに基づき、前記第３の同期信号を検出し、または、
前記端末は、前記ＴＲＰグループのシステム情報により示されるベースバンドパラメータに基づき、前記第３の同期信号を検出し、または、
前記端末は、事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記端末は、前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出することを特徴とする請求項１に記載のベースバンドパラメータを決定する方法。
【請求項３】
前記端末が、前記ＴＲＰグループ内の検出した第３の同期信号および／または前記ＴＲＰグループのシステム情報に基づき、ベースバンドパラメータを決定する場合、
前記端末は、検出した前記第３の同期信号の伝送に用いられるベースバンドパラメータを、前記第３の同期信号に対応するサブバンド、ＴＲＰおよび／またはビームに用いられるベースバンドパラメータとして決定し、または、
前記端末は、事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記端末は、所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記端末は、前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記端末は、前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれ、
および/または、
前記端末が、前記ＴＲＰグループのシステム情報に基づき、ベースバンドパラメータを決定する場合、
前記端末は、前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれることを特徴とする請求項１に記載のベースバンドパラメータを決定する方法。
【請求項４】
検出した第３の同期信号シーケンスの数が少なくとも２つであれば、前記端末がベースバンドパラメータを決定する場合、
前記端末は、各第３の同期信号シーケンスに対応するサブバンド、ＴＲＰおよび／またはビームに用いられるベースバンドパラメータを決定し、または、
前記端末は、前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定することを特徴とする請求項３に記載のベースバンドパラメータを決定する方法。
【請求項５】
前記端末は、前記少なくとも２つの同期信号シーケンスから、少なくとも１つの同期信号シーケンスを選択する場合、
前記端末は、前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記端末は、前記少なくとも２つの第３の同期信号シーケンスをネットワーク側に報告し、ネットワーク側によって通知された少なくとも１つの第３の同期信号シーケンスを受信することを特徴とする請求項４に記載のベースバンドパラメータを決定する方法。
【請求項６】
前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウであることを特徴とする請求項２に記載のベースバンドパラメータを決定する方法。
【請求項７】
前記伝送リソースが前記第３の同期信号の伝送に占有された時間領域リソースおよび／または周波数領域リソースであれば、前記端末は、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記端末は、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得することを特徴とする請求項６に記載のベースバンドパラメータを決定する方法。
【請求項８】
伝送受信ポイント（ＴＲＰ）グループ内の第１のネットワーク側装置は、前記ＴＲＰグループにおいて、初期同期信号を送信することにより、端末に、前記初期同期信号に基づいて前記端末の所属のＴＲＰグループを決定させるステップと、
前記ＴＲＰグループ内の第２のネットワーク側装置は、前記ＴＲＰグループにおいて第３の同期信号を送信し、および／または前記ＴＲＰグループ内の第３のネットワーク側装置は、前記ＴＲＰグループにおいて前記ＴＲＰグループのシステム情報を送信することにより、前記端末に、前記第３の同期信号および／または前記ＴＲＰグループのシステム情報に基づき、前記第２のネットワーク側装置のベースバンドパラメータまたは前記ＴＲＰグループ内のネットワーク側装置のベースバンドパラメータを決定させるステップとを備え、
前記初期同期信号には、第１の同期信号および／または第２の同期信号が含まれることを特徴とするベースバンドパラメータを決定する方法。
【請求項９】
前記ＴＲＰグループ内の第２のネットワーク側装置が前記ＴＲＰグループにおいて第３の同期信号を送信する場合、
前記第２のネットワーク側装置は、前記ＴＲＰグループのシステム帯域幅に対応する前記第２のネットワーク側装置の動作帯域幅において、前記第３の同期信号を送信し、または、
前記第２のネットワーク側装置は、事前に約定した前記第３の同期信号の伝送リソースにおいて、前記第３の同期信号を送信し、または、
前記第２のネットワーク側装置は、前記ＴＲＰグループのシステム情報により示される前記第３の同期信号の伝送リソースにおいて、前記第３の同期信号を送信し、
および/または、
前記ＴＲＰグループ内の第２のネットワーク側装置が前記ＴＲＰグループにおいて第３の同期信号を送信する場合、
前記第２のネットワーク側装置は、周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
前記第２のネットワーク側装置は、事前に約定したまたは前記ＴＲＰグループのシステム情報により示される第３の同期信号シーケンスとベースバンドパラメータとの対応関係に基づき、前記第２のネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記第２のネットワーク側装置のベースバンドパラメータに基づき、前記第２のネットワーク側装置のベースバンドパラメータに対応する前記第３の同期信号シーケンスを送信し、または、
前記第２のネットワーク側装置は、事前に約定したまたは前記ＴＲＰグループのシステム情報により示される第３の同期信号シーケンスとネットワーク側装置との対応関係に基づき、前記第２のネットワーク側装置に対応する前記第３の同期信号シーケンスを決定し、前記第２のネットワーク側装置のベースバンドパラメータに基づき、前記第２のネットワーク側装置に対応する前記第３の同期信号シーケンスを送信することを特徴とする請求項８に記載のベースバンドパラメータを決定する方法。
【請求項１０】
前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれることを特徴とする請求項８に記載のベースバンドパラメータを決定する方法。
【請求項１１】
前記ＴＲＰグループのシステム情報は、第３の同期信号シーケンスとベースバンドパラメータとの対応関係を示し、または、
前記ＴＲＰグループのシステム情報はベースバンドパラメータを示し、
前記ＴＲＰグループのシステム情報は、前記第３の同期信号の伝送リソースを示すことを特徴とする請求項８に記載のベースバンドパラメータを決定する方法。
【請求項１２】
前記第２のネットワーク側装置は、事前に約定したベースバンドパラメータまたは前記ＴＲＰグループのシステム情報により示されるベースバンドパラメータまたは前記第２のネットワーク側装置の１種のデフォルトのベースバンドパラメータに基づき、前記第２のネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれ、
および/または、
前記第２のネットワーク側装置または前記第３のネットワーク側装置は、前記端末によって報告された複数の第３の同期信号シーケンスを受信し、前記複数の第３の同期信号シーケンスから、１つまたは複数の第３の同期信号シーケンスを選択し、選択した第３の同期信号シーケンスを前記端末に通知し、
および/または、
前記第２のネットワーク側装置は、自分の動作帯域幅において、自分のベースバンドパラメータに基づき、その後の伝送を行うことを特徴とする請求項８に記載のベースバンドパラメータを決定する方法。
【請求項１３】
検出した初期同期信号に基づき、前記端末の所属の伝送受信ポイント（ＴＲＰ）グループを決定するＴＲＰグループ決定モジュールと、
前記ＴＲＰグループ内の検出した第３の同期信号および／または前記ＴＲＰグループのシステム情報に基づき、ベースバンドパラメータを決定するベースバンドパラメータ決定モジュールとを備え、
前記初期同期信号には、第１の同期信号および／または第２の同期信号が含まれることを特徴とする端末。
【請求項１４】
前記ベースバンドパラメータ決定モジュールは、
前記ＴＲＰグループのシステム帯域幅において、前記第３の同期信号を検出し、または、
事前に約定した第３の同期信号の伝送リソースにおいて、前記第３の同期信号を検出し、または、
前記ＴＲＰグループのシステム情報により示される第３の同期信号の伝送リソースにおいて、前記第３の同期信号を検出し、
および/または、
前記ベースバンドパラメータ決定モジュールは、
所定のベースバンドパラメータに基づき、前記第３の同期信号を検出し、または、
周波数帯域とベースバンドパラメータとの対応関係に基づき、現在前記第３の同期信号が検出されている周波数帯域に対応するベースバンドパラメータを決定し、決定されたベースバンドパラメータに基づき、前記第３の同期信号を検出し、または、
通信システムによりサポートされたベースバンドパラメータに基づき、前記第３の同期信号を検出し、または、
前記ＴＲＰグループのシステム情報により示されるベースバンドパラメータに基づき、前記第３の同期信号を検出し、または、
事前に約定した第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出し、または、
前記ＴＲＰグループのシステム情報により示される第３の同期信号シーケンスとサブバンドまたはＴＲＰまたはビームに用いられるベースバンドパラメータとの対応関係に基づき、各第３の同期信号シーケンスのベースバンドパラメータを決定し、決定されたベースバンドパラメータに基づき、前記第３の同期信号を検出することを特徴とする請求項１３に記載の端末。
【請求項１５】
前記ベースバンドパラメータ決定モジュールは、
検出した前記第３の同期信号の伝送に用いられるベースバンドパラメータを、前記第３の同期信号に対応するサブバンド、ＴＲＰおよび／またはビームに用いられるベースバンドパラメータとして決定し、または、
事前に約定した第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
所定のベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、または、
前記ＴＲＰグループのシステム情報により示される第３の同期信号シーケンスとサブバンドまたはＴＲＰまたはビームに用いられるベースバンドパラメータとの対応関係に基づき、検出した前記第３の同期信号シーケンスに対応するサブバンド、ＴＲＰおよび／またはビームに用いられるベースバンドパラメータを決定し、または、
前記ＴＲＰグループのシステム情報により示されるベースバンドパラメータに基づき、検出した前記第３の同期信号に対応するＴＲＰから送信されたＴＲＰ専属システム情報を受信し、前記ＴＲＰ専属システム情報に基づき、ベースバンドパラメータを決定し、
前記ＴＲＰ専属システム情報には、前記ＴＲＰに用いられるベースバンドパラメータと、前記ＴＲＰ内のビームごとに用いられるベースバンドパラメータと異なる時間領域および／または周波数領域リソースにおける前記ＴＲＰに用いられるベースバンドパラメータとのうちの少なくとも１つが含まれ、
および/または、
前記ベースバンドパラメータ決定モジュールは、
前記ＴＲＰグループのシステム情報を受信し、前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループ内のＴＰＲに用いられるベースバンドパラメータと、前記ＴＲＰグループに対応するビームに用いられるベースバンドパラメータとのうちの少なくとも１つが含まれることを特徴とする請求項１３に記載の端末。
【請求項１６】
検出した第３の同期信号シーケンスの数が少なくとも２つであれば、前記ベースバンドパラメータ決定モジュールは、
第３の同期信号シーケンスそれぞれに対応するサブバンド、ＴＲＰおよび／またはビームに用いられるベースバンドパラメータを決定し、または、
前記少なくとも２つの第３の同期信号シーケンスから、少なくとも１つの第３の同期信号シーケンスを選択し、選択した第３の同期信号シーケンスに対応するサブバンド、ＴＲＰおよび／またはビームに用いられるベースバンドパラメータを決定することを特徴とする請求項１５に記載の端末。
【請求項１７】
前記ベースバンドパラメータ決定モジュールは、
前記少なくとも２つの第３の同期信号シーケンスの受信エネルギー、信号強度および／または受信インデックスに基づき、前記少なくとも２つの第３の同期信号シーケンスから、少なくとも１つの第３の同期信号シーケンスを選択し、または、
前記少なくとも２つの第３の同期信号シーケンスを、ネットワーク側に報告し、ネットワーク側によって通知された少なくとも１つの第３の同期信号シーケンスを受信することを特徴とする請求項１６に記載の端末。
【請求項１８】
前記伝送リソースは、前記第３の同期信号の伝送に占有された時間領域リソースおよび／または周波数領域リソースであるか、または、前記第３の同期信号の検出のための時間領域ウィンドウおよび／または周波数領域ウィンドウであることを特徴とする請求項１４に記載の端末。
【請求項１９】
前記伝送リソースが前記第３の同期信号の伝送に占有された時間領域リソースおよび／または周波数領域リソースであれば、前記ベースバンドパラメータ決定モジュールは、前記初期同期信号に基づいて決定された前記ＴＲＰグループとの同期関係に基づき、前記第３の同期信号を検出し、
前記伝送リソースが前記第３の同期信号の検出のための時間領域ウィンドウおよび／または周波数領域ウィンドウであれば、前記ベースバンドパラメータ決定モジュールは、前記時間領域ウィンドウおよび／または周波数領域ウィンドウにおいて、前記第３の同期信号をブラインド検出し、前記第３の同期信号により、前記時間領域ウィンドウおよび／または周波数領域ウィンドウに対応するサブバンドまたはＴＲＰまたはビームとの同期関係を取得することを特徴とする請求項１８に記載の端末。
【請求項２０】
ネットワーク側装置は、伝送受信ポイント（ＴＲＰ）グループに所属し、
前記ネットワーク側装置は、送信モジュールを備え、
前記送信モジュールは、前記ＴＲＰグループにおいて、初期同期信号を送信することにより、端末に、前記初期同期信号に基づいて前記端末の所属のＴＲＰグループを決定させ、前記初期同期信号には、第１の同期信号および／または第２の同期信号が含まれ、および／または
前記ＴＲＰグループにおいて、第３の同期信号および／または前記ＴＲＰグループのシステム情報を送信することにより、前記端末に、前記第３の同期信号および／または前記ＴＲＰグループのシステム情報に基づき、前記ネットワーク側装置のベースバンドパラメータまたは前記ＴＲＰグループ内のネットワーク側装置のベースバンドパラメータを決定させることを特徴とするネットワーク側装置。
【請求項２１】
前記送信モジュールは、
前記ＴＲＰグループのシステム帯域幅に対応する前記ネットワーク側装置の動作帯域幅において、前記第３の同期信号を送信し、または、
事前に約定した前記第３の同期信号の伝送リソースにおいて、前記第３の同期信号を送信し、または、
前記ＴＲＰグループのシステム情報により示される前記第３の同期信号の伝送リソースにおいて、前記第３の同期信号を送信し、
および/または、
前記送信モジュールは、
周波数帯域とベースバンドパラメータとの対応関係に基づき、現在前記第３の同期信号を送信する周波数帯域に対応するベースバンドパラメータを決定し、決定されたベースバンドパラメータに基づき、前記第３の同期信号を送信し、または、
事前に約定したまたは前記ＴＲＰグループのシステム情報により示される第３の同期信号シーケンスとベースバンドパラメータとの対応関係に基づき、前記ネットワーク側装置のベースバンドパラメータに対応する前記第３の同期信号シーケンスを決定し、所定のベースバンドパラメータまたは通信システムにおいて定義された複数のベースバンドパラメータのうちの任意の１つまたは前記ＴＲＰグループのシステム情報により示されるベースバンドパラメータまたは前記ネットワーク側装置のベースバンドパラメータに基づき、前記ネットワーク側装置のベースバンドパラメータに対応する前記第３の同期信号シーケンスを送信し、または、
事前に約定したまたは前記ＴＲＰグループのシステム情報により示される第３の同期信号シーケンスとネットワーク側装置との対応関係に基づき、前記ネットワーク側装置に対応する前記第３の同期信号シーケンスを決定し、前記ネットワーク側装置のベースバンドパラメータに基づき、前記ネットワーク側装置に対応する前記第３の同期信号シーケンスを送信することを特徴とする請求項２０に記載のネットワーク側装置。
【請求項２２】
前記ＴＲＰグループのシステム情報には、前記ＴＲＰグループに対応するサブバンドに用いられるベースバンドパラメータと、前記ＴＲＰグループに対応する時間領域リソースおよび／または周波数領域リソースに用いられるベースバンドパラメータと、前記ＴＲＰグループに対応するビームに用いられるベースバンドパラメータと、前記ＴＲＰグループ内のネットワーク側装置それぞれに用いられるベースバンドパラメータと、前記ＴＲＰグループ内の各ネットワーク側装置のビームそれぞれに用いられるベースバンドパラメータと、前記ＴＲＰグループ内のネットワーク側装置それぞれが異なる時間域および／または周波数領域リソースにおいて用いられるベースバンドパラメータとのうちの少なくとも１つが含まれることを特徴とする請求項２０に記載のネットワーク側装置。
【請求項２３】
前記ＴＲＰグループのシステム情報は、第３の同期信号シーケンスとベースバンドパラメータとの対応関係を示し、または、
前記ＴＲＰグループのシステム情報はベースバンドパラメータを示し、
前記ＴＲＰグループのシステム情報は、前記第３の同期信号の伝送リソースを示すことを特徴とする請求項２０に記載のネットワーク側装置。
【請求項２４】
前記送信モジュールは、
事前に約定したベースバンドパラメータまたは前記ＴＲＰグループのシステム情報により示されるベースバンドパラメータまたは前記ネットワーク側装置の１種のデフォルトのベースバンドパラメータに基づき、前記ネットワーク側装置の専属システム情報を送信し、前記専属システム情報には、ネットワーク側装置に用いられるベースバンドパラメータと、ネットワーク側装置内のビームそれぞれに用いられるベースバンドパラメータと、ネットワーク側装置が異なる時間領域および／または周波数領域リソースにおいて用いるベースバンドパラメータとのうちの少なくとも１つが含まれ、
および/または、
前記端末により報告された複数の第３の同期信号シーケンスを受信して、１つまたは複数の第３の同期信号シーケンスを選択する受信モジュールをさらに備え、
前記送信モジュールは、前記受信モジュールにより選択された第３の同期信号シーケンスを前記端末に通知し、
および/または、
前記ネットワーク側装置は、前記ＴＲＰグループ内のＴＲＰまたは基地局であることを特徴とする請求項２０に記載のネットワーク側装置。
【国際調査報告】
2019526967.tif 000030
2019526967.tif 000031
2019526967.tif 000032
2019526967.tif 000033